(57)【要約】【課題】遊技媒体詰りを好適に解消することができるアウトタンクを提供すること。【解決手段】受入部８０１は、支持部８０２に取り付けられた第１受入部としてのベースタンク８６１及び該ベースタンク８６１に対し前後方向に移動可能に設けられた第２受入部としての移動タンク８６２から構成され、遊技球の受入面積を拡縮可能であり、振動発生器４１０は、アウトタンク８を少なくとも一の方向（例えば、プランジャ４１３の軸心方向）に振動させるものであり、プランジャ４１３の先端の拡径部４１３ａが右斜め前上方を向くように斜めに取り付けられており、振動方向（プランジャ４１３の移動方向）は、ベースタンク８６１に対する移動タンク８６２の移動方向（前後方向）とは異なる。【選択図】図２３
2015097602.tif 000002
【特許請求の範囲】
【請求項１】
遊技機から排出される遊技媒体を回収するためのアウトタンクであって、
前記遊技機から排出される遊技媒体を受け入れる受入部と、
前記受入部にて受け入れた遊技媒体を排出する排出部と、
前記受入部を支持する支持部と、
前記支持部を所定のベース部に取り付けるための取付部と、
前記アウトタンクを振動させるための振動手段と、
を備え、
前記受入部は、前記支持部に取り付けられた第１受入部及び該第１受入部に対し移動可能に設けられた第２受入部から構成され、遊技媒体の受入面積を拡縮可能であり、
前記振動手段は、前記アウトタンクを少なくとも一の方向に振動させるものであり、
前記一の方向は前記第１受入部に対する前記第２受入部の移動方向と異なる
ことを特徴とするアウトタンク。
【請求項２】
遊技機から排出される遊技媒体を回収するためのアウトタンクであって、
前記遊技機から排出される遊技媒体を受け入れる受入部と、
前記受入部にて受け入れた遊技媒体を排出する排出部と、
前記受入部を支持する支持部と、
前記支持部を所定のベース部に取り付けるための取付部と、
前記アウトタンクを振動させるための振動手段と、
を備え、
前記受入部は、前記支持部に対し移動可能に設けられ、該支持部に対する位置を調整可能であり、
前記振動手段は、前記アウトタンクを少なくとも一の方向に振動させるものであり、
前記一の方向は前記支持部に対する前記受入部の移動方向と異なる
ことを特徴とするアウトタンク。
【請求項３】
遊技機から排出される遊技媒体を回収するためのアウトタンクであって、
前記遊技機から排出される遊技媒体を受け入れる受入部と、
前記受入部にて受け入れた遊技媒体を排出する排出部と、
前記受入部を支持する支持部と、
前記支持部を所定のベース部に取り付けるための取付部と、
前記アウトタンクを振動させるための振動手段と、
を備え、
前記支持部は、前記取付部に対し移動可能に設けられ、該取付部に対する位置を調整可能であり、
前記振動手段は、前記アウトタンクを少なくとも一の方向に振動させるものであり、
前記一の方向は前記取付部に対する前記支持部の移動方向と異なる
ことを特徴とするアウトタンク。
【請求項４】
遊技機から排出される遊技媒体を回収するためのアウトタンクであって、
前記遊技機から排出される遊技媒体を受け入れる受入部と、
前記受入部にて受け入れた遊技媒体を排出する排出部と、
前記受入部を支持する支持部と、
前記支持部を所定のベース部に取り付けるための取付部と、
前記アウトタンクを振動させるための振動手段と、
を備え、
前記支持部は、前記取付部に取り付けられた第１支持部及び該第１支持部に対し移動可能に設けられた第２支持部から構成され、前記第１支持部に対する前記第２支持部の位置を調整可能であり、
前記振動手段は、前記アウトタンクを少なくとも一の方向に振動させるものであり、
前記一の方向は前記第１支持部に対する前記第２支持部の移動方向と異なる
ことを特徴とするアウトタンク。
【発明の詳細な説明】
【技術分野】
【０００１】
本発明は、遊技機から排出される遊技媒体を回収するためのアウトタンクに関する。
【背景技術】
【０００２】
遊技機の一例であるパチンコ遊技機において、遊技領域に打ち込まれた遊技球は、遊技領域に設けられた入賞口やアウト口を通過した後、該パチンコ遊技機の背面側に設けられた排出口から排出されるようになっている。また、パチンコ遊技機を設置する遊技島には、各パチンコ遊技機に対応してアウトタンクが設置されており、該アウトタンクにてパチンコ遊技機から排出された遊技球を受け入れ、該受け入れた遊技球を排出部から排出することで遊技島内にて回収されるようになっている。
【０００３】
この種のアウトタンクにあっては、パチンコ遊技機から排出される遊技球にゴミや塵等が付着していると、遊技球を受け入れる受入部から排出部までの通路に異物等が徐々に堆積し、該異物により遊技球の流下が妨げられて球詰りが発生することがある。そこで、遊技島のベース部に対しアウトタンクをコイルバネを介して取り付け、パチンコ遊技機から排出された遊技球が受入部に落下したときの衝撃によりアウトタンクが揺動するようにすることで、該揺動により球詰りが解消されるようにしたもの等があった（例えば、特許文献１参照）。
【０００４】
また、遊技機から排出された遊技球を受け入れる受入部を、該受入部を下方から支持する支持部を介して上下及び左右方向に位置調整可能とすることで、各遊技機の排出部の位置に応じて受入部の配置位置を上下・左右方向に調整可能とするとともに、受入部を第１受入部と該第１受入部に対して前後方向にスライド移動可能に取り付けられる第２受入部とから構成することにより、受入部の底面積（遊技球の受け入れ面積）を拡縮できるようにしたものがあった（例えば、特許文献２参照）。
【先行技術文献】
【特許文献】
【０００５】
【特許文献１】特開２００５−２２４３０５号公報
【特許文献２】特開２００６−１１５９４４号公報
【発明の概要】
【発明が解決しようとする課題】
【０００６】
上記特許文献１に記載のアウトタンクは、遊技球の落下により生じる衝撃によってコイルバネにより上下・左右・前後いずれの方向にも揺動し得ることで、例えば、上記特許文献２に記載のアウトタンクを適用すると、受入部の支持部に対する移動方向や第１受入部に対する第２受入部の移動方向と同じ方向にアウトタンクが揺動することで、支持部に対し受入部が移動したり、第１受入部に対し第２受入部が移動したりする虞があった。
【０００７】
本発明は、このような問題点に着目してなされたもので、遊技媒体詰りを好適に解消することができるアウトタンクを提供することを目的とする。
【課題を解決するための手段】
【０００８】
前記課題を解決するために、本発明の請求項１に記載のアウトタンクは、
遊技機（例えば、パチンコ遊技機２）から排出される遊技媒体（例えば、遊技球）を回収するためのアウトタンク（例えば、アウトタンク８）であって、
前記遊技機から排出される遊技媒体を受け入れる受入部（例えば、受入部８０１）と、
前記受入部にて受け入れた遊技媒体を排出する排出部（例えば、排出口８０３）と、
前記受入部を支持する支持部（例えば、支持部８０２）と、
前記支持部を所定のベース部（例えば、ベース金具９００）に取り付けるための取付部（例えば、取付ベース８３０）と、
前記アウトタンクを振動させるための振動手段（例えば、振動発生装置４００の振動発生器４１０、台端末２０５の制御マイコン（ＭＰＵ））と、
を備え、
前記受入部は、前記支持部に取り付けられた第１受入部（例えば、ベースタンク８６１）及び該第１受入部に対し移動可能に設けられた第２受入部（例えば、移動タンク８６２）から構成され、遊技媒体の受入面積を拡縮可能であり（例えば、受入部８０１は、支持部８０２に取り付けられたベースタンク８６１及び該ベースタンク８６１に対し前後方向に移動可能に設けられた移動タンク８６２から構成され、遊技球の受入面積を拡縮可能である。図１９及び図２０参照）、
前記振動手段は、前記アウトタンクを少なくとも一の方向（例えば、プランジャ４１３の軸心方向）に振動させるものであり（図２１参照）、
前記一の方向は前記第１受入部に対する前記第２受入部の移動方向と異なる（例えば、振動発生器４１０は、プランジャ４１３の先端の拡径部４１３ａが右斜め前上方を向くように斜めに取り付けられており、振動方向（プランジャ４１３の移動方向）は、ベースタンク８６１に対する移動タンク８６２の移動方向（前後方向）とは異なる。図２１参照）
ことを特徴としている。
この特徴によれば、受入部にて受け入れた遊技媒体が排出部から排出されるまでの間で詰まっても、振動手段によりアウトタンクを振動させることで詰まりを解消することができる。また、振動手段による振動方向が第１受入部に対する第２受入部の移動方向と異なることで、該振動により第１受入部に対し第２受入部が移動したり外れたりすることを抑制できる。
【０００９】
また、本発明の請求項２に記載のアウトタンクは、
遊技機（例えば、パチンコ遊技機２）から排出される遊技媒体（例えば、遊技球）を回収するためのアウトタンク（例えば、アウトタンク８）であって、
前記遊技機から排出される遊技媒体を受け入れる受入部（例えば、受入部８０１）と、
前記受入部にて受け入れた遊技媒体を排出する排出部（例えば、排出口８０３）と、
前記受入部を支持する支持部（例えば、支持部８０２）と、
前記支持部を所定のベース部（例えば、ベース金具９００）に取り付けるための取付部（例えば、取付ベース８３０）と、
前記アウトタンクを振動させるための振動手段（例えば、振動発生装置４００の振動発生器４１０、台端末２０５の制御マイコン（ＭＰＵ））と、
を備え、
前記受入部は、前記支持部に対し移動可能に設けられ、該支持部に対する位置を調整可能であり（例えば、受入部８０１は、支持部８０２に対し前後方向に移動可能に設けられ、該支持部８０２に対する前後位置を調整可能である。図１６参照）、
前記振動手段は、前記アウトタンクを少なくとも一の方向（例えば、プランジャ４１３の軸心方向）に振動させるものであり（図２１参照）、
前記一の方向は前記支持部に対する前記受入部の移動方向と異なる（例えば、振動発生器４１０は、プランジャ４１３の先端の拡径部４１３ａが右斜め前上方を向くように斜めに取り付けられており、振動方向（プランジャ４１３の移動方向）は、支持部８０２に対する受入部８０１の移動方向（前後方向）とは異なる。図２１参照）
ことを特徴としている。
この特徴によれば、受入部にて受け入れた遊技媒体が排出部から排出されるまでの間で詰まっても、振動手段によりアウトタンクを振動させることで詰まりを解消することができる。また、振動手段による振動方向が支持部に対する受入部の移動方向と異なることで、該振動により支持部に対し受入部が移動したり外れたりすることを抑制できる。
【００１０】
また、本発明の請求項３に記載のアウトタンクは、
遊技機（例えば、パチンコ遊技機２）から排出される遊技媒体（例えば、遊技球）を回収するためのアウトタンク（例えば、アウトタンク８）であって、
前記遊技機から排出される遊技媒体を受け入れる受入部（例えば、受入部８０１）と、
前記受入部にて受け入れた遊技媒体を排出する排出部（例えば、排出口８０３）と、
前記受入部を支持する支持部（例えば、支持部８０２）と、
前記支持部を所定のベース部（例えば、ベース金具９００）に取り付けるための取付部（例えば、取付ベース８３０）と、
前記アウトタンクを振動させるための振動手段（例えば、振動発生装置４００の振動発生器４１０、台端末２０５の制御マイコン（ＭＰＵ））と、
を備え、
前記支持部は、前記取付部に対し移動可能に設けられ、該取付部に対する位置を調整可能であり（例えば、支持部８０２は、取付ベース８３０に対し左右方向に移動可能に設けられ、該取付ベース８３０に対する左右位置を調整可能である。図１４参照）、
前記振動手段は、前記アウトタンクを少なくとも一の方向（例えば、プランジャ４１３の軸心方向）に振動させるものであり（図２１参照）、
前記一の方向は前記取付部に対する前記支持部の移動方向と異なる（例えば、振動発生器４１０は、プランジャ４１３の先端の拡径部４１３ａが右斜め前上方を向くように斜めに取り付けられており、振動方向（プランジャ４１３の移動方向）は、取付ベース８３０に対する支持部８０２の移動方向（左右方向）とは異なる。図２１参照）
ことを特徴としている。
この特徴によれば、受入部にて受け入れた遊技媒体が排出部から排出されるまでの間で詰まっても、振動手段によりアウトタンクを振動させることで詰まりを解消することができる。また、振動手段による振動方向が取付部に対する支持部の移動方向と異なることで、該振動により取付部に対し支持部が移動したり外れたりすることを抑制できる。
【００１１】
また、本発明の請求項４に記載のアウトタンクは、
遊技機（例えば、パチンコ遊技機２）から排出される遊技媒体（例えば、遊技球）を回収するためのアウトタンク（例えば、アウトタンク８）であって、
前記遊技機から排出される遊技媒体を受け入れる受入部（例えば、受入部８０１）と、
前記受入部にて受け入れた遊技媒体を排出する排出部（例えば、排出口８０３）と、
前記受入部を支持する支持部（例えば、支持部８０２）と、
前記支持部を所定のベース部（例えば、ベース金具９００）に取り付けるための取付部（例えば、取付ベース８３０）と、
前記アウトタンクを振動させるための振動手段（例えば、振動発生装置４００の振動発生器４１０、台端末２０５の制御マイコン（ＭＰＵ））と、
を備え、
前記支持部は、前記取付部に取り付けられた第１支持部及び該第１支持部に対し移動可能に設けられた第２支持部から構成され、前記第１支持部に対する前記第２支持部の位置を調整可能であり（例えば、取付ベース８３０に取り付けられた外部支持脚８４０及び該外部支持脚８４０に対し上下方向に移動可能に設けられた内部支持脚８５０から構成され、外部支持脚８４０に対する内部支持脚８５０の上下位置を調整可能である。図１５参照）、
前記振動手段は、前記アウトタンクを少なくとも一の方向（例えば、プランジャ４１３の軸心方向）に振動させるものであり（図２１参照）、
前記一の方向は前記第１支持部に対する前記第２支持部の移動方向と異なる（例えば、振動発生器４１０は、プランジャ４１３の先端の拡径部４１３ａが右斜め前上方を向くように斜めに取り付けられており、振動方向（プランジャ４１３の移動方向）は、外部支持脚８４０に対する内部支持脚８５０の移動方向（上下方向）とは異なる。図２１参照）
ことを特徴としている。
この特徴によれば、受入部にて受け入れた遊技媒体が排出部から排出されるまでの間で詰まっても、振動手段によりアウトタンクを振動させることで詰まりを解消することができる。また、振動手段による振動方向が第１支持部に対する第２支持部の移動方向と異なることで、該振動により第１支持部に対し第２支持部が移動したり外れたりすることを抑制できる。
尚、請求項１〜４において、前記一の方向とは、前記遊技機の上下方向、左右方向、前後方向、斜め上下方向、斜め左右方向、斜め前後方向のいずれかである。
【００１２】
本発明の手段１のアウトタンクは、請求項１〜４のいずれかに記載のアウトタンクであって、
前記受入部（例えば、受入部８０１）に遊技媒体（例えば、遊技球）が滞留していることを検知する検知手段（例えば、検出センサ４５０）を備え、
前記振動手段（例えば、振動発生装置４００の振動発生器４１０、台端末２０５の制御マイコン（ＭＰＵ））は、前記検知手段が遊技媒体の滞留を検知したことに基づいて前記アウトタンクを振動させる（例えば、台端末２０５の制御マイコン（ＭＰＵ）は、アウトタンク８の球詰り検出センサ４５０から出力される球詰り信号が入力されたときに計時を開始して、該球詰り信号が第１期間（例えば、５秒間）継続して入力されるか否かを監視する。そして、第１期間（例えば、５秒間）継続して球詰り信号の入力があったと判定した場合、球詰りが発生したとして、球詰り信号の出力先のアウトタンク８の振動発生器４１０を駆動させる。）
ことを特徴としている。
この特徴によれば、アウトタンクを適宜に振動させることができる。
【００１３】
本発明の手段２のアウトタンクは、請求項１〜４のいずれかに記載のアウトタンクであって、
前記振動手段（例えば、振動発生装置４００の振動発生器４１０、台端末２０５の制御マイコン（ＭＰＵ））は、前記遊技機（例えば、パチンコ遊技機２）から遊技者に払出された払出遊技媒体数（例えば、賞球数や貸出球数）と前記排出部（例えば、排出口８０３）から排出された排出遊技媒体数（例えば、アウト球数）との差数（例えば、差球数）が所定数となったことまたは該所定数を超えたことに基づいて前記アウトタンクを振動させる（例えば、台端末２０５の制御マイコン（ＭＰＵ）は、パチンコ遊技機２から遊技者に払出された賞球数や貸出球数と排出口８０３から排出されたアウト球数との差球数が所定数（例えば、５００球）となったことまたは所定数（例えば、５００球）を超えたことに基づいて振動発生器４１０を駆動してアウトタンク８を振動させる。変形例）
ことを特徴としている。
この特徴によれば、アウトタンクを適宜に振動させることができる。
【００１４】
本発明の手段３のアウトタンクは、手段２に記載のアウトタンクであって、
前記排出部（例えば、排出口８０３）から排出された排出遊技媒体数（例えば、アウト球数）を計数する排出遊技媒体数計数手段（例えば、球計数器８２６）を備え、
前記排出遊技媒体数計数手段は、前記遊技機（例えば、パチンコ遊技機２）に接続される遊技用装置（例えば、台端末２０５など）に接続され（図２９参照）、
前記遊技用装置は、
前記遊技機から遊技者に払出された払出遊技媒体数を計数する払出遊技媒体計数手段（例えば、台端末２０５の制御マイコン（ＭＰＵ）のＲＡＭ（図示略）に記憶されている遊技関連情報テーブルには、各パチンコ遊技機２毎に、当日の営業開始時からの貸出球数、再プレイ球数、賞球数、打込球数、始動回数、大当り回数、確変回数等の各データが集計されている）と、
所定期間が経過するまでに前記払出遊技媒体数と前記排出遊技媒体数との差数が所定数となったかまたは該所定数を超えたか否かを判定する判定手段（例えば、台端末２０５の制御マイコン（ＭＰＵ）が、所定期間（例えば、１分間）が経過するまでにパチンコ遊技機２から遊技者に払出された賞球数や貸出球数と排出口８０３から排出されたアウト球数との差球数が所定数（例えば、５００球）となったことまたは所定数（例えば、５００球）を超えたか否かを判定する部分。変形例）と、
前記判定手段が前記払出遊技媒体数と前記排出遊技媒体数との差数が所定数となったまたは該所定数を超えたと判定したことに基づいて、前記振動手段により前記アウトタンクを振動させる制御手段（例えば、台端末２０５の制御マイコン（ＭＰＵ）が、差球数が所定数となったまたは所定数を超えたと判定したことに基づいて、振動発生器４１０を駆動してアウトタンク８を振動させる制御を行う部分。変形例）と、
を備える
ことを特徴としている。
この特徴によれば、アウトタンクを適宜に振動させることができる。
【００１５】
本発明の手段４のアウトタンクは、請求項１〜４のいずれかに記載のアウトタンクであって、
前記遊技機（例えば、パチンコ遊技機２）は、遊技者に所定数の遊技媒体を払い出したときに前記振動手段に払出信号を出力する払出信号出力手段（例えば、賞球制御基板２３７は、信号ケーブル２０９の一部を通じて台端末２０５に接続されていて、球払出装置９７から払い出された賞球数が所定球数毎（例えば１０個毎）に達する毎に所定時間幅のパルスとして賞球信号を該台端末２０５に出力する）を備え、
前記アウトタンクは、
前記排出部から排出された排出遊技媒体数を計数する排出遊技媒体数計数手段（例えば、アウトタンク８に設けられた制御部。変形例）と、
前記払出信号の入力に基づいて、前記遊技機から遊技者に払出された払出遊技媒体数を計数する払出遊技媒体計数手段（例えば、アウトタンク８に設けられた制御部。変形例）と、
を備え、
前記振動手段は、前記払出遊技媒体数と前記排出遊技媒体数とが所定数となったことまたは該所定数を超えたことに基づいて前記アウトタンクを振動させる（例えば、制御部が、賞球数とアウト球数とが所定数（例えば、５００球）となったか否かまたは所定数を超えたか否かを判定し、該所定数（例えば、５００球）となったまたは所定数を超えたことに基づいてアウトタンクを振動させる部分。変形例）
ことを特徴としている。
この特徴によれば、アウトタンクを適宜に振動させることができる。
【００１６】
本発明の手段５のアウトタンクは、請求項１〜４のいずれかに記載のアウトタンクであって、
前記排出部（例えば、排出口８０３）から排出された排出遊技媒体数（例えば、アウト球数）を計数する排出遊技媒体計数手段（例えば、球計数器８２６）を備え、
前記振動手段は、所定期間が経過するまでに所定数の遊技媒体を検出したことに基づいて前記アウトタンクを振動させる（例えば、台端末２０５の制御マイコン（ＭＰＵ）が、１０分経過するまでに５００球のアウト球を計数したことに基づいて振動発生器４１０にてアウトタンク８を振動させる部分。変形例）
ことを特徴としている。
この特徴によれば、アウトタンクを適宜に振動させることができる。
【００１７】
本発明の手段６のアウトタンクは、請求項１〜４、手段１〜５のいずれかに記載のアウトタンクであって、
前記振動手段（例えば、振動発生器４１０）は、前記第１受入部（例えば、ベースタンク８６１）または前記支持部（例えば、支持部８０２）に設けられている
ことを特徴としている。
この特徴によれば、アウトタンクを構成する第１受入部、第２受入部、支持部、取付部のうち末端部分である第１受入部や取付部を振動させる場合に比べて、第１受入部や取付部が振動により移動したり外れたりしにくくなる。
【図面の簡単な説明】
【００１８】
【図１】本発明が適用された遊技島の内部構造を示す断面図である。
【図２】図１のＡ−Ａ断面図である。
【図３】図１の遊技機を示す背面図である。
【図４】タンク本体を示す斜視図である。
【図５】（Ａ）はタンク本体を示す正面図、（Ｂ）はタンク本体を示す背面図である。
【図６】（Ａ）はタンク本体を示す左側面図、（Ｂ）はタンク本体を示す右側面図である。
【図７】（Ａ）はタンク本体を示す平面図、（Ｂ）はタンク本体を示す底面図である。
【図８】ベースタンクを斜め上方から見た状態を示す斜視図である。
【図９】ベースタンクの底面を斜め上方から見た状態を示す斜視図である。
【図１０】（Ａ）は図８のＦ−Ｆ断面図、（Ｂ）は切替部材を示す斜視図である。
【図１１】移動タンクを斜め上方から見た状態を示す斜視図である。
【図１２】移動タンクの底面を斜め上方から見た状態を示す斜視図である。
【図１３】図８のＥ−Ｅ断面図である。
【図１４】タンク本体の左右位置調整状態を示す概略図である。
【図１５】タンク本体の上下位置調整状態を示す概略図である。
【図１６】タンク本体の前後位置調整状態を示す概略図である。
【図１７】ベースタンクおよび移動タンクを示す平面図である。
【図１８】ベースタンクおよび移動タンクを示す底面図である。
【図１９】タンク本体を第１取付部に取り付けた状態を示す図である。
【図２０】タンク本体を第２取付部に取り付けた状態を示す図である。
【図２１】（Ａ）（Ｂ）振動発生器を示す説明図、（Ｃ）〜（Ｅ）は振動発生器の配置状態を示す説明図である。
【図２２】（Ａ）（Ｂ）は球詰りの発生状況の一例を示す図である。
【図２３】（Ａ）（Ｂ）は振動発生器を駆動した状態を示す図である。
【図２４】本発明の変形例１を示す図である。
【図２５】本発明の変形例２を示す図である。
【図２６】本発明の変形例３を示す図である。
【図２７】本発明の変形例４を示す図である。
【図２８】本発明の実施例における遊技システムの構成を示すシステム構成図である。
【図２９】台端末に入力される各信号の入力形態を示す図である。
【図３０】台端末における割込処理の処理内容を示すフロー図である。
【図３１】（Ａ）は大当りの発生に基づいて振動が開始される例を示すタイミングチャート、（Ｂ）は球詰りの発生に基づいて振動が開始される例を示すタイミングチャートである。
【発明を実施するための形態】
【００１９】
本発明に係るアウトタンクを実施するための形態を実施例に基づいて以下に説明する。
【実施例】
【００２０】
実施例に係るアウトタンクについて、図面に基づいて説明する。図１は、本発明が適用された遊技島の内部構造を示す断面図である。図２は、図１のＡ−Ａ断面図である。図３は、図１の遊技機を示す背面図である。尚、以下の説明においては、図１の手前側を前面、奥側を背面、左右側を左右側面とする。すなわち、パチンコ遊技機２を正面から見た場合を基準として上下左右の向きを説明する。
【００２１】
図１に示すように、遊技店等に備え付けられる遊技島１（遊技機設置島とも言う）は、左右方向に向けて細長に形成されており、その前後面には、遊技機の一例であるパチンコ遊技機２及び該パチンコ遊技機２において遊技に使用する遊技媒体としての遊技球の貸出を実施させる球貸処理機（図示略）が長手方向（左右方向）に向けて複数列設されている。
【００２２】
遊技島１の略中央上部には、遊技球が貯留される上部タンク３が設けられており、この上部タンク３内に貯留された遊技球は、遊技島１内の長手方向両端部に向けてそれぞれ下方に傾斜するように配設された左右の供給樋４に流入するようになっている。これら左右の供給樋４には、流下する遊技球を各パチンコ遊技機２に供給するための支流樋５が、供給樋４の前後（球の流下方向の左右）の側板に、流下方向に向けて所定間隔おきに複数配設されており、これら支流樋５に流入した遊技球は、各パチンコ遊技機２の背面に設けられた球タンク６（図３参照）に供給されるようになっている。
【００２３】
供給樋４の下流側端部には、例えばメンテナンス時等において供給樋４内の遊技球を後述する誘導樋１０Ｌ，１０Ｒ内に流出させる球抜き管７が設けられている。尚、通常時にはこの球抜き管７内を遊技球が流下しないようになっている。
【００２４】
遊技島１の内部には、パチンコ遊技機２より排出されたアウト球を受け入れるとともに、受け入れた遊技球を後述する側部樋１７Ｌ，１７Ｒに排出するアウトタンク８が、各パチンコ遊技機２の背面側にそれぞれ対応して設けられている（図２及び図３参照）。
【００２５】
また、上部タンク３からは、該上部タンク３内部に貯留される遊技球の貯留量が所定量以上となってオーバーフローした遊技球を、遊技島１の長手方向の略中央位置に配置される揚送研磨装置２５の左右側、つまり遊技島１の左右両側（長手方向の両端側）の下部にそれぞれ配置される第１のタンクとしての島タンク９Ｌ，９Ｒにそれぞれ導くオーバーフロー樋１２が左右に向けて下方に傾斜して延設されているとともに、これら左右のオーバーフロー樋１２の下流側端部からは、オーバーフロー管１８が垂下されている。
【００２６】
図１及び図２に示されるように、左右の島タンク９Ｌ，９Ｒ内には、球抜き管７及びオーバーフロー管１８から排出される遊技球が流入する誘導樋１０Ｌ，１０Ｒが、それぞれ遊技島１における長手方向中央に向けて下方に傾斜するように配設されている。誘導樋１０Ｌ，１０Ｒは、所定の前後幅寸法を有する略水平な水平面部１０ａと、該水平面部１０ａにおける前後幅方向の両端側から外方に向けて上方に傾斜するように連設される傾斜面部１０ｂと、からなる１枚の金属板からなり、誘導樋１０Ｌ，１０Ｒを流下した遊技球は下流側端部から落下するとともに、下流側端部で球詰まりが生じた場合には前後の傾斜面部１０ｂ上を乗り上げて島タンク９Ｌ，９Ｒ内に落下して偏りなく貯留されるようになっている。
【００２７】
遊技島１の左側端部には、遊技者が獲得した遊技球を計数するための計数装置１５が配設されており、この計数装置１５内に投入された遊技球は、該計数装置１５に設けられている球投入口１５ａから連設された返却路１６を介して誘導樋１０Ｌ，１０Ｒに流入し、島タンク９Ｌ内に排出されて貯留される。つまり、計数装置１５にて計数された計数済み球は、遊技島１の内部における左側の島タンク９Ｌに返却されるようになっている。
【００２８】
左右の島タンク９Ｌ，９Ｒ内における誘導樋１０Ｌ，１０Ｒの前後側（球の流下方向の左右側）には、図２に示されるように、各アウトタンク８から排出される遊技球を回収する回収部としての前後一対の側部樋１７Ｌ，１７Ｒがそれぞれ並設されている。
【００２９】
側部樋１７Ｌ，１７Ｒに排出された遊技球は、島タンク９Ｌ，９Ｒ内に落下することなく、島タンク９Ｌ，９Ｒと揚送研磨装置２５との間に設けられたバッファタンク２００Ｌ，２００Ｒに流出する。一方、島タンク９Ｌ，９Ｒに貯留された遊技球は、ミニリフト２１０Ｌ，２１０Ｒにより揚送されることによりバッファタンク２００Ｌ，２００Ｒに排出される。尚、バッファタンク２００Ｌ，２００Ｒ内に貯留された遊技球により側部樋１７Ｌ，１７Ｒの下流端開口が塞がれて、遊技球が上流側に向けて充満した場合には、側部樋１７Ｌ，１７Ｒの内側面における島タンク９Ｌ，９Ｒの下流側端部付近に形成された開口（図示略）から落下して島タンク９Ｌ，９Ｒ内に貯留されるようになっている。バッファタンク２００Ｌ，２００Ｒから流出した遊技球は、中継樋２４Ｌ，２４Ｒを流下して揚送研磨装置２５に供給される。
【００３０】
そして、バッファタンク２００Ｌ，２００Ｒから中継樋２４Ｌ，２４Ｒを流下して揚送研磨装置２５内に流入した遊技球は、揚送研磨装置２５により揚送・研磨された後、上部タンク３内に排出されて貯留される。
【００３１】
これら遊技島１内に配設される供給樋４、支流樋５、オーバーフロー樋１２、オーバーフロー管１８、誘導樋１０Ｌ，１０Ｒ、側部樋１７Ｌ，１７Ｒ、ミニリフト２１０Ｌ，２１０Ｒ、バッファタンク２００Ｌ，２００Ｒ、中継樋２４Ｌ，２４Ｒ、揚送研磨装置２５により、遊技島１内における遊技球の循環経路が構成されている。
【００３２】
また、遊技島１内には、揚送研磨装置２５及びミニリフト２１０Ｌ，２１０Ｒを制御する制御装置（図示略）が設けられている。この制御装置（図示略）には、揚送研磨装置２５、ミニリフト２１０Ｌ，２１０Ｒ、計数装置１５が接続されているとともに、上部タンク３、島タンク９Ｌ，９Ｒ、ミニタンク２０１Ｌ，２０１Ｒ内に設けられた各種センサ（図示略）が接続されており、各種センサからの検出状況、つまり各タンクにおける遊技球の貯留状況と、揚送研磨装置２５の駆動状況や計数装置１５からの球の返却状況等に応じて、揚送研磨装置２５やミニリフト２１０Ｌ，２１０Ｒの駆動制御を実施して遊技球を揚送し、遊技島１内を循環させるようになっている。また、制御装置は通信ユニットを介して後述するホールコンピュータ２４０（図２８参照）などの管理装置等に接続されていて、例えば、揚送研磨装置２５やミニリフト２１０Ｌ，２１０Ｒ等が停止した場合に、該駆動が停止した旨を前記管理装置等に送信するようになっている。
【００３３】
また、通常時においては、パチンコ遊技機２から排出されて側部樋１７Ｌ，１７Ｒに回収される遊技球が、島タンク９Ｌ，９Ｒ内に貯留されている遊技球よりも優先して揚送研磨装置２５内に流入して揚送されるようになっている。そして、上部タンク３内における遊技球の貯留量が所定レベル以下となり、パチンコ遊技機２への遊技球の補給が途絶える可能性がある場合等に、ミニリフト２１０Ｌ，２１０Ｒ等が駆動され、島タンク９Ｌ，９Ｒ内に貯留されている遊技球が上部タンク３内に揚送される。
【００３４】
尚、本実施例における遊技島１は、上部タンク３や島タンク９Ｌ，９Ｒ内部に貯留された遊技球のみを制御により循環して使用するいわゆる独立式の遊技島であるが、例えば遊技場内に並設される他の遊技島と上部タンク同士を適宜連結樋等により連結して、他の遊技島間で遊技球の貯留量の調整を行うことができるようにしてもよい。また、遊技者が獲得した遊技球を計数する計数装置が各パチンコ遊技機２に対応して設けられ、各遊技島内において遊技球を循環使用することが可能に構成されたユニット式の遊技島であってもよい。
【００３５】
また、本実施例では、アウトタンク８から排出された遊技球は、島タンク９Ｌ，９Ｒ内に設けられた側部樋１７Ｌ，１７Ｒに落下して回収され、島タンク９Ｌ，９Ｒに貯留された遊技球よりも優先して上部タンク３に揚送されるようになっていたが、ミニリフト２１０Ｌ，２１０Ｒ、バッファタンク２００Ｌ，２００Ｒ、側部樋１７Ｌ，１７Ｒ等は設けずに、アウトタンク８から排出された遊技球を島タンク９Ｌ，９Ｒに直接排出させて回収し、この島タンク９Ｌ，９Ｒから揚送研磨装置２５に供給されるようにしてもよい。
【００３６】
図２に示すように、遊技島１を構成する躯体１３は金属製のフレームからなり、床面Ｆから所定高さ位置には、パチンコ遊技機２を左右方向に並設設置する設置台を形成するための水平板２２が架設されている。水平板２２の上面には、パチンコ遊技機２の前面下部に設けられる排出口（図示略）から排出される賞球を貯留する球箱（図示略）等を載置するための膳板２１が載置されているとともに、膳板２１の上面には、パチンコ遊技機２を固設するための設置板２０が載置されている。これら水平板２２、膳板２１、設置板２０は木板にて構成され、釘やビス等にて後述する外枠１００を固定可能とされており、遊技島１の長手方向にわたり水平に架設され、パチンコ遊技機２を設置する設置台を構成している。また、水平板２２の下方には化粧パネル２３が取り付けられており、これら化粧パネル２３により遊技島１の下方の腰板部が被覆されている。尚、本実施例では、パチンコ遊技機２の設置台が水平板２２、膳板２１、設置板２０にて構成されていたが、一枚の板材や角材等にて構成されていてもよい。
【００３７】
図３に示すように、パチンコ遊技機２は、打ち出された遊技球が流下する遊技領域（図示略）を形成する遊技盤（図示略）が取り付けられる合成樹脂材からなる前面枠１０１と、この前面枠１０１の一側辺を中心に開閉可能に枢支する外枠１００と、から構成される。外枠１００は、木製の上板１００ａ及び下板１００ｂと、金属材からなる左右側板１００ｃ，１００ｄと、により四角枠状に形成され、下板１００ｂをビス等により設置面２０ａに固定するとともに、上板１００ａをビス等により図示しない上設置板に固定することで、パチンコ遊技機２を設置板２０上に立設固定できるようになっている。
【００３８】
また、前面枠１０１の背面には、遊技の制御を行う遊技制御用マイクロコンピュータが搭載される主基板３１、演出の制御を行う演出制御用マイクロコンピュータが搭載される演出制御基板８０、賞球の払出制御を行う払出制御用マイクロコンピュータが搭載される払出制御基板３７等の各種基板が取り付けられている。また、前述した球タンク６及び球タンク６に供給された遊技球を球払出装置９７に誘導する供給通路１１０や、遊技領域から背面側に誘導されて回収された遊技球（所謂アウト球）が流下する排出通路１１１や、この排出通路１１１により誘導された遊技球を排出する排出口１１２が下面に形成された機構板１１５（図２参照）が組み付けられている。
【００３９】
遊技領域に打ち出され、該遊技領域に設けられた入賞口（図示略）に入賞した入賞球（所謂セーフ球）及びいずれの入賞口にも入賞しなかった非入賞球（所謂アウト球）は、遊技盤の背面側に誘導された後、排出通路１１１の上流端に設けられた回収部１１１ａに落下し、排出通路１１１により下方に誘導されて排出口１１２から下方に排出される。従って、排出口１１２は、設置面２０ａよりも上方の所定高さ位置に配置されるが、回収部１１１ａよりも上方位置には設けられない。また、この回収部１１１ａの高さ位置は、遊技領域（図示略）の大きさに応じて上下することがあるため、遊技領域が下方に拡大された場合、回収部１１１ａとともに排出口１１２の配置位置も下方にずれることがある。
【００４０】
図２に示すように、設置板２０の前後幅寸法は、パチンコ遊技機２の外枠１００の前後幅寸法よりも長寸に形成されており、外枠１００は、設置面２０ａにおける前側に配置される。そして設置面２０ａにおける外枠１００の背面側にはアウトタンク８が配置され、排出口１１２から排出されて鉛直下方に落下する遊技球を受け入れるとともに、受け入れた遊技球を側部樋１７Ｌ，１７Ｒに排出する（図３参照）。
【００４１】
図２〜図４に示すように、アウトタンク８は、パチンコ遊技機２の排出口１１２から排出される遊技球を受け入れる受入部８０１と、該受入部８０１を下方から支持する支持部８０２と、受入部８０１にて受け入れた遊技球を設置板２０の下方、つまり、設置面２０ａよりも下方位置に設けられた側部樋１７Ｌ，１７Ｒに排出する排出部としての排出口８０３と、支持部８０２を所定のベース部に取り付けるための取付部としての取付ベース８３０と、からなるタンク本体８００と、タンク本体８００の取付ベース８３０を取り付け可能なタンク取付部が複数個所に形成されたベース部としてのベース金具９００と、から構成されている。
【００４２】
ベース金具９００は、タンク本体８００を設置板２０等からなるパチンコ遊技機２の設置台に取り付けるための金具であって、設置台におけるパチンコ遊技機２の背面側における左右方向の略中央位置に固定される（図３参照）。そして、タンク本体８００を取り付け可能なタンク取付部としての第１取付部（図示略）と第２取付部（図示略）とがそれぞれ異なる高さ位置に形成されていることで、後述するように、パチンコ遊技機２の排出口１１２の高さ位置に応じて、第１取付部または第２取付部のいずれかに選択的に取り付けできるようになっている。
【００４３】
以下においては、タンク本体８００の構造の概要について、図４〜図７に基づいて説明する。まず、図４は、タンク本体を示す斜視図である。図５は、（Ａ）はタンク本体を示す正面図、（Ｂ）はタンク本体を示す背面図である。図６は、（Ａ）はタンク本体を示す左側面図、（Ｂ）はタンク本体を示す右側面図である。図７は、（Ａ）はタンク本体を示す平面図、（Ｂ）はタンク本体を示す底面図である。
【００４４】
尚、以下において、パチンコ遊技機２の正面側からタンク本体８００を見た場合を基準として上下左右の向きを説明する。例えば、図４の場合、左斜め下側をタンク本体の前面側、右斜め上側をタンク本体の背面側、右斜め下側をタンク本体の右側、左斜め上側をタンク本体の左側とする。尚、図４〜図７は、後述する第１緩衝板５００Ｌ，５００Ｃ，５００Ｒおよび第２緩衝板５５０を敷設していない状態のタンク本体８００が示されている。
【００４５】
図４〜図７に示すように、タンク本体８００は、遊技島１に設けられた所定のベース部であるベース金具９００（図３参照）に取り付けられる取付部としての取付ベース８３０と、取付ベース８３０に対し左右方向にスライド移動可能に取り付けられる外部支持脚８４０及び外部支持脚８４０に対し上下方向にスライド移動可能に取り付けられる内部支持脚８５０からなる筒状の支持部８０２と、内部支持脚８５０に対し前後方向にスライド移動可能に取り付けられるベースタンク８６１及び該ベースタンク８６１に対し前後方向にスライド移動可能に取り付けられる移動タンク８６２からなる受入部８０１と、該受入部８０１にて受け入れた遊技球を排出する排出部としての排出口８０３と、から主に構成され、取付ベース８３０、外部支持脚８４０、内部支持脚８５０、ベースタンク８６１及び移動タンク８６２は合成樹脂材（例えば、ＡＢＳ樹脂等）にて射出成型等によりそれぞれ一体成型されている。
【００４６】
取付ベース８３０は、設置板２０に取り付けられたベース金具９００に取り付けできるようになっており、取付ベース８３０をベース金具９００に取り付けた状態において、受入部８０１が支持部８０２により所定高さ位置に支持されるようになっている（図２参照）。受入部８０１は、ベースタンク８６１及び移動タンク８６２により上方に開口する有底箱状に形成され、パチンコ遊技機２の排出口１１２（図２参照）から排出される遊技球を受け入れ可能に構成されている。
【００４７】
受入部８０１上に落下した遊技球は、受入部８０１の後部に連設された排出シュート８６９の底部左右側に設けられた排出口８０３（図７（Ｂ）参照）の一方（本例では右側の排出口８０３）に誘導され、排出シュート８６９における排出口８０３の近傍位置に装着された計数機取付部材８７２に取り付けられる球計数器８２６（図３参照）を通過して側部樋１７Ｌ，１７Ｒに排出される。
【００４８】
支持部８０２は、後述するように上下に伸縮可能とされ上下寸法を調整可能に設けられるとともに、取付ベース８３０に対して左右方向にスライド移動可能に設けられ、受入部８０１は、支持部８０２に対して前後方向にスライド移動可能に設けられており、パチンコ遊技機２の排出口１１２の配置位置に応じて、受入部８０１の配置位置を上下・前後・左右方向に位置調整できるようになっている（図１４〜１６参照）。
【００４９】
また、後述するように、ベースタンク８６１及び移動タンク８６２の底面上には、遊技球の落下により生じる衝撃を緩衝するためのゴム材等からなる第１緩衝板５００Ｌ，５００Ｃ，５００Ｒおよび第２緩衝板５５０（図１７参照）がそれぞれ敷設され、受入部８０１の底面上に落下した遊技球の飛散や衝突音が防止される。
【００５０】
図４及び図１３に示すように、取付ベース８３０は、平面視略横長長方形状に成形された板材からなる。取付ベース８３０には、上下方向に貫通する取付孔８３１が四隅に形成されており、その取付孔８３１に取り付けたネジ（図示略）を介して、ベース金具９００の第１取付部または第２取付部に止着できるようになっている。また、取付ベース８３０の上面における前端部側及び後端部側には、左右方向に沿って案内溝８３３が形成されている。また、前後方向の略中央（即ち、案内溝８３３，８３３の間）には、左右方向に沿って凹溝８３５が上方を開口するように凹設されている。この凹溝８３５の底面には、複数（本実施例では９つ）の円柱８３６が左右方向に沿って等間隔に立設されているとともに、隣り合う円柱８３６間を繋ぐように案内板８３７が立設されている。
【００５１】
図１３〜図１６に示すように、外部支持脚８４０は、全体が略四角筒状に成形されており、前後壁の下部には、下端に外向きの係合爪８４３ａが形成された板状の係合部８４３が弾性変形可能に形成されている。また、これら前後の係合部８４３の間には、移動規制部８４５が鉛直方向下向きに延びるように形成されている。この移動規制部８４５は、前後方向に並べて配設された一対の湾曲状の板部材から構成されており、外部支持脚８４０を取付ベース８３０に取り付けた際、取付ベース８３０に形成された円柱８３６及び案内板８３７を前後方向から挟持するようになっている。また、左右側壁には、上下方向に延びる案内孔８４６が形成されている。この案内孔８４６は、前後方向に延びる複数（本実施例では３つ）の幅広孔８４７ａと、その複数の幅広孔８４７ａとの間に連設された幅狭孔８４７ｂとから構成されている。
【００５２】
このように構成された外部支持脚８４０は、外部支持脚８４０の係合部８４３を取付ベース８３０の案内溝８３３に挿入することによって取付ベース８３０に対して取り付けられる。このとき、外部支持脚８４０は、係合部８４３の係合爪８４３ａが案内溝８３３の被係合部（図示略）に係合されるとともに、移動規制部８４５が円柱８３６及び案内板８３７に嵌合されるため、取付ベース８３０に対して上下方向及び前後方向への移動が拘束された状態で取り付けられる。
【００５３】
一方、外部支持脚８４０は、左右方向から所定の外力を加えることで、取付ベース８３０に対して左右方向へのスライド移動が許容される。即ち、外部支持脚８４０は、左右方向から所定の力を加えると、移動規制部８４５が円柱８３６と干渉して前後方向外側に広がるように弾性変形し、円柱８３６の挟持を解除するため、左右方向にスライド移動させることが可能となる。尚、外部支持脚８４０は、円柱８３６が等間隔で左右方向に沿って複数立設されているので、左右方向へのスライド移動の際には円柱８３６の間隔毎に位置決めされ、段階的に移動する。
【００５４】
このように取付ベース８３０の案内溝８３３、円柱８３６、案内板８３７と外部支持脚８４０の係合部８４３、移動規制部８４５とによって、受入部８０１を左右方向へ移動させる左右位置調整機構が構成されている。
【００５５】
内部支持脚８５０は、全体が略四角筒状をなし、外部支持脚８４０の内側に嵌め込むことが可能な大きさとされている。左右側壁には、鉛直方向下向きに延びる板状の上下係合部８５３が弾性変形可能に形成されている。上下係合部８５３の先端には、内側周壁部８５１に対して左右方向外側に突出し、平面視凸状をなす係合凸部８５３ａが形成されている。尚、係合凸部８５３ａは、内部支持脚８５０を外部支持脚８４０に嵌め込んだ際に外部支持脚８４０の案内孔８４６に係合されるようになっている。また、係合凸部８５３ａの先端部は外部支持脚８４０の左右側壁よりも外側に突出するようになっている。
【００５６】
また、左右側壁の上端部には、左右方向外側に突出するように前後一対の係合部８５４が弾性変形可能に形成されている。係合部８５４は、その全体が略Ｌ字形状をなし、基端側から所定距離だけ左右方向外側に延出された後、先端部が上方を向くように屈曲されている。そして、係合部８５４の先端部には、側面視で三角形状の案内爪８５４ａが形成されている。案内爪８５４ａは、係合部８５４の先端に近づくに従って細くなるように形成されている。また、左右側壁の上端部には、鉛直方向上向きに延びるように板状の移動規制部８５６が弾性変形可能に形成されている。移動規制部８５６の先端には、前後方向に沿って並列された複数の鋸歯からなるラック８５６ａが左右方向外側に突出形成されている。また、前後壁の上端部には、前後方向に延びる左右一対の支持用挟持板８５８が立設されている。
【００５７】
このように構成された内部支持脚８５０は、外部支持脚８４０の内側に嵌め込むことによって外部支持脚８４０に対して取り付けられる。このとき、内部支持脚８５０は、その略半分が外部支持脚８４０に収容されるため、外部支持脚８４０に対して左右方向及び前後方向への移動が拘束された状態で取り付けられる。その一方で、内部支持脚８５０は、外部支持脚８４０の案内孔８４６（幅広孔８４７ａ）に内部支持脚８５０の係合凸部８５３ａが係合され、外部支持脚８４０に対して上下方向への移動が許容された状態で取り付けられる。即ち、内部支持脚８５０は、外部支持脚８４０の左右側壁よりも外側に突出する各係合凸部８５３ａを指先で挟み、係合凸部８５３ａを内側に弾性変形させるように力を加えると、係合凸部８５３ａと案内孔８４６（幅広孔８４７ａ）との係合状態が解除され、上下方向に移動させることが可能となる。尚、内部支持脚８５０は、案内孔８４６を構成する幅広孔８４７ａ間を移動できるようになっている。本実施例では、外部支持脚８４０（案内孔８４６）と内部支持脚８５０（係合凸部８５３ａ）によって、受入部８０１を上下方向へ移動させる上下位置調整装置が構成されている。つまり、支持部８０２は上下に伸縮可能に形成されている。
【００５８】
次に、タンク本体８００の受入部８０１の構造について、図８〜図１８に基づいて説明する。図８は、ベースタンクを斜め上方から見た状態を示す斜視図である。図９は、ベースタンクの底面を斜め上方から見た状態を示す斜視図である。図１０は、（Ａ）は図８のＦ−Ｆ断面図、（Ｂ）は切替部材を示す斜視図である。図１１は、移動タンクを斜め上方から見た状態を示す斜視図である。図１２は、移動タンクの底面を斜め上方から見た状態を示す斜視図である。図１３は、図８のＥ−Ｅ断面図である。図１４は、タンク本体の左右位置調整状態を示す概略図である。図１５は、タンク本体の上下位置調整状態を示す概略図である。図１６は、タンク本体の前後位置調整状態を示す概略図である。図１７は、ベースタンクおよび移動タンクを示す平面図である。図１８は、ベースタンクおよび移動タンクを示す底面図である。
【００５９】
図８に示すように、ベースタンク８６１は、平面視略横長長方形状に形成された第１底部７００と、該第１底部７００の後縁左右から立設された後方壁部７１０と、該第１底部７００の左右両側の縁から立設された壁部としての第１側壁部７１１とから構成されている。即ち、ベースタンク８６１は、第１底部７００の３辺からコ字状に前記各壁部７１０，７１１が立設されており、上方と前方が開口されている。
【００６０】
第１底部７００は、左右方向の中央位置に設けられる中底部７０１、中底部７０１の左右側に設けられる左底部７０２，右底部７０３から構成されている。中底部７０１と左底部７０２との間および中底部７０１と右底部７０３との間には前後方向に延びる所定高さの段部７０４が形成されており、中底部７０１は左右底部７０２，７０３よりも一段低位置に配置されている。すなわち、中底部７０１は、第１底部７００の左右方向の中央位置に凹設されている。尚、左右一対の段部７０４，７０４の後端は互いに外側に向けて屈曲されて平面視ハの字形をなしており（図７（Ａ）参照）、中底部７０１の後端部の左右幅は後側に向けて漸次幅広とされている。
【００６１】
中底部７０１は、左右方向に略水平に配置され、後側に向けて下方に傾斜する傾斜面状に形成されている。左底部７０２および右底部７０３は、中央の中底部７０１および後側に向けて下方に傾斜する傾斜状の底面にて形成されている。このように第１底部７００は、後側に設けられる排出シュート８６９に向けて遊技球を誘導するために正面視略凹状に形成されていることで、左右方向の中央に浅底の凹溝部が前後方向に延設されている。
【００６２】
具体的には、これら中底部７０１、左底部７０２、右底部７０３の前後方向の略中央位置には、左右方向に延びる所定高さの段部７０５が形成されており、段部７０５の前側に形成される平坦状の前底面７０１ａ，７０２ａ，７０３ａと、これら前底面７０１ａ，７０２ａ，７０３ａの後端部よりも低位置に配置され、段部７０５の後側に形成される平坦状の後底面７０１ｂ，７０２ｂ，７０３ｂと、から構成され、それぞれ正面側から見た場合に縦断面略凹状に形成されている。
【００６３】
中底部７０１の段部７０５の連設面７０５ａ上部における左右方向の中央位置および左底部７０２、右底部７０３の段部７０５の連設面７０５ａ上部における左右側位置には、後述する第１緩衝板５００Ｌ，５００Ｃ，５００Ｒの上面前端を上側から押える半ドーム状の押え片７２０ａが、その下面と後底面７０１ｂ，７０２ｂ，７０３ｂとの間に、少なくとも第１緩衝板５００の厚み幅寸法よりも大きい隙間を隔てて後向きに突設されているとともに、各押え片７２０ａの下方には、連設面７０５ａから後底面７０１ｂ，７０２ｂ，７０３ｂにかけて該押え片７２０ａの成型用穴７２０ｂが形成されている。
【００６４】
尚、成型用穴７２０ｂは、連設面７０５ａから後底面７０１ｂ，７０２ｂ，７０３ｂにかけて形成されていることで、第１緩衝板５００Ｌ，５００Ｃ，５００Ｒの前端部を下方に弾性変形させながら押え片７２０ａの下方に簡単に差し込むことができるばかりか、段部７０５に沿うゴミや埃等を下方に落下させることができる。
【００６５】
また、中底部７０１の押え片７２０ａの左右側および左右底部７０２，７０３の左右の押え片７２０ａの間には、第１緩衝板５００Ｌ，５００Ｃ，５００Ｒの弾性係止片（図示略）が差し込み可能な左右一対の係合穴７２１ａ，７２１ｂが、連設面７０５ａから後底面７０１ｂ，７０２ｂ，７０３ｂにかけて形成されている。
【００６６】
また、左右底部７０２，７０３には、後述する案内部８６６を形成するための成型用穴７２５と、案内板８６７を形成するための成型用穴７２６と、案内板８９７を形成するための成型用穴７２７と、が前後方向に向けて形成されている。
【００６７】
また、第１側壁部７１１は、後方壁部７１０から連設される高壁部と前側の低壁部とから構成されており、低壁部の内面上端には、後述する第２側壁部６１１の上端を摺接ガイドする前後一対のガイド突起７２８が前後にそれぞれ突設されている。このように、受入部８０１における前側の壁部は低壁とされ、パチンコ遊技機２の排出口１１２が比較的低位置に配置されている場合でも該排出口１１２の下方に差し込みやすくなっているとともに、受入部８０１における後側の壁部は前側よりも高い高壁とされ、遊技球が背面側へ飛散することが防止されている。尚、左底部７０２、右底部７０３におけるこれら前後のガイド突起７２８の直下対応位置には、該ガイド突起７２８を形成するための成型用穴７２９がそれぞれ形成されている。
【００６８】
図９に示すように、第１底部７００の下面には、前後方向に延びる左右一対の案内部８６６が突設されている。案内部８６６の先端部（下端部）には、第１底部７００の左右方向内側に突出するように突出部８６６ａが形成されている。突出部８６６ａは、前後方向に沿って形成されている。そして、案内部８６６は、第１底部７００の傾斜に合わせて後端部から前端部に向かって上下方向（鉛直方向）の幅が大きくなるように、つまり略水平に形成されている。さらに、案内部８６６の前端部からは、補強用のリブ８６６ｂが第１底部７００の前端縁に沿うように内向きに屈曲形成されており、前壁部がなく前方に開口するベースタンク８６１の第１底部７００の強度低下が防止されている。
【００６９】
また、第１底部７００の下面における案内部８６６よりも内側（第１底部７００の中央寄り）に、前後方向に延びる左右一対の案内板８６７が下方に向けて突設されている。左右の案内板８６７各々の対向面には、前後方向に沿って並列された複数の鋸歯からなるラック８６７ａが突設されている。案内板８６７は、横断面略内向きコ字形をなし、前後に内向きの規制壁部が形成されており、移動規制部８５６のラック８５６ａに当接して前方および後方からの逸脱を規制する。つまり、案内板８６７は、支持部８０２に対するベースタンク８６１の前後方向の移動範囲を規制する。
【００７０】
また、第１底部７００の下面における案内板８６７よりも内側（第１底部７００の中央寄り）に、前後方向に延びる左右一対の支持板８６８が形成されている。そして、案内板８６７及び支持板８６８は、前述した案内部８６６と同様に、第１底部７００の傾斜に合わせて後端部から前端部に向かって上下方向（鉛直方向）の幅が大きくなるように形成されている。
【００７１】
さらに、第１底部７００の下面における案内部８６６よりも外側（第１底部７００の左右側）に、前後方向に延びる左右一対の案内板８９７が形成されている。左右の案内板８９７各々の対向面には、前後方向に沿って並列された複数の鋸歯からなるラック８９７ａが突設されている。案内板８９７は、横断面略内向きコ字形をなし、前後に内向きの規制壁部が形成されており、移動規制部８８８のラック８８８ａに当接して前方および後方からの逸脱を規制する。つまり、案内板８９７は、ベースタンク８６１に対する移動タンク８６２の前後方向の移動範囲を規制する。
【００７２】
このように構成されたベースタンク８６１は、図１３に示すように、内部支持脚８５０の係合部８５４をベースタンク８６１の案内部８６６の突出部８６６ａ（被係合部）に係合することによって内部支持脚８５０に対して取り付けられる。つまり、内部支持脚８５０の係合部８５４とベースタンク８６１の案内部８６６とは、支持部としての内部支持脚８５０に受入部としてのベースタンク８６１を保持する受入部保持手段を構成している。ベースタンク８６１は、案内板８６７のラック８６７ａが移動規制部８５６のラック８５６ａに係合されるとともに、支持板８６８が補強板８５７の支持用挟持板８５８に挟持されるため、内部支持脚８５０に対して上下方向及び左右方向への移動が拘束された状態で前後方向へスライド移動可能に取り付けられる。
【００７３】
即ち、ベースタンク８６１は、前後方向から所定の力を加えると、案内板８６７に係合されている内部支持脚８５０の移動規制部８５６が左右方向内側に互いに近づくように弾性変形し、前後方向に移動させることが可能となる。尚、ベースタンク８６１は、案内板８６７のラック８６７ａと移動規制部８５６のラック８５６ａとの係合によって、前後方向に段階的に移動させることができる。言い換えると、内部支持脚８５０に対してベースタンク８６１を前後方向の複数位置にてそれぞれ保持することが可能な受入部位置保持手段を構成している。つまり、ベースタンク８６１の案内板８６７のラック８６７ａと、内部支持脚８５０の移動規制部８５６のラック８５６ａとによって、支持部８０２に対して受入部８０１を所定の前後位置に保持する前後位置調整機構（受入部位置保持手段）が構成されている。
【００７４】
図８に示すように、ベースタンク８６１の後方壁部７１０の後方には、パチンコ遊技機２の排出口１１２から排出されて受け入れた排出球を側部樋１７Ｌ，１７Ｒに排出する排出シュート８６９が一体成形されている。左右の後方壁部７１０の間には、ベースタンク８６１（及び移動タンク８６２）側と排出シュート８６９側とを連通させる連通口８６４ａ（図４及び図１７参照）が形成されている。従って、受入部８０１で受け入れた排出球は、連通口８６４ａを通過して排出シュート８６９に排出されるようになっている。尚、連通口８６４ａの左右幅は、第１底部７００の左右幅よりも幅狭で、中底部７０１の後端の左右幅よりも若干幅広に形成されている。
【００７５】
排出シュート８６９は、第１底部７００の後部から下方に向けて突出するように連設され、後方壁部７１０および後壁部８７１ａ、側壁部８７１ｂにより平面視横長長方形状に形成され、これら後方壁部７１０、後壁部８７１ａ、側壁部８７１ｂにより囲まれた内部中央には、排出球を排出する排出口８０３を切り替える（排出球の排出方向（左方向又は右方向）を切り替える）切替部材８７３が着脱可能に取り付けられている。
【００７６】
図１０（Ｂ）に示すように、切替部材８７３は、上下方向を向く垂直片８７３ａと、垂直片８７３ａの下端から一側方に向けて下方に傾斜するように延設された傾斜片８７３ｂと、から正面視略「く」の字形に形成され、傾斜片８７３ｂは、左右の側壁部８７１ｂとの間に排出球を排出可能な大きさを有する排出口８０３を形成可能な長さを有している。垂直片８７３ａの上部には、後壁部８７１ａおよび後方壁部７１０の左右側にそれぞれ形成された前後一対の切込溝８７０に差し込み可能な前後一対の差込片８７３ｃが形成されているとともに、傾斜片８７３ｂの傾斜上位部および傾斜中位部からは、後方壁部７１０および後壁部８７１ａの下端に係止可能な前後一対の弾性係止部８７３ｄがそれぞれ下方に向けて垂下されている。
【００７７】
よって、後壁部８７１ａおよび後方壁部７１０に形成された左右いずれかの切込溝８７０に差込片８７３ｃを上方から差し込み、弾性係止部８７３ｄを後方壁部７１０および後壁部８７１ａの下端に係止させることで、切替部材８７３を右向きまたは左向きに取り付けできるようになっている。向きを切り替えたいときは、弾性係止部８７３ｄによる係止状態を解除して一度上方に抜き取り、向きを変えた後に左右反対側の切込溝８７０に差込片８７３ｃを上方から差し込めばよい。このように切替部材８７３を右向きまたは左向きに取り付けることで、連通口８６４ａから排出された遊技球を左右いずれかの排出口８０３に誘導する排出球誘導通路８８０の底面が構成される。つまり、排出球誘導通路は、後方壁部７１０，７１０ａと後壁部８７１ａと傾斜片８７３ｂとにより、上方が開口する縦断面略コ字形に形成され、連通口８６４ａを通過した遊技球を１列に整列した状態で左右いずれかの排出口８０３に誘導するようになっている。
【００７８】
排出シュート８６９の左右側の下端部には、排出口８０３から排出された排出球を計数する球計数器８２６を取り付けるための計数機取付部材８７２を着脱可能とする取付部が形成されており、計数機取付部材８７２を排出シュート８６９の左側または右側に付け替えできるようになっている。
【００７９】
このように、切替部材８７３を例えば正面から見て右向きに排出シュート８６９に取り付けることで（図１０中実線参照）、連通口８６４ａを通過して排出シュート８６９に排出された排出球は、１列に整列された状態で傾斜片８７３ｂの上面に形成された誘導路により排出シュート８６９の右側に向けて流下され、傾斜片８７３ｂの先端と周壁部８７１との間に形成された右側の排出口８０３から排出される。そして下方に取り付けた球計数器８２６内を流下し、球計数器８２６の下面に形成された排出口８２６ａから排出され、排出シュート８２６ｂを介して側部樋１７Ｌ，１７Ｒに排出される。
【００８０】
尚、排出シュート８６９の左右側の後方壁部７１０および後壁部８７１ａには、切替部材８７３を介して傾斜片８７３ｂ上を誘導案内される排出球を整列させる球均し部材８７４を取り付けるための球均し部材取付孔（図示略）が形成されており、排出口８０３の形成位置に応じて左右に付け替えできるようになっている。球均し部材８７４は、排出球誘導通路８８０の上方位置に配設され、遊技球が上下に重なったときに該遊技球に接触して上下１層で流下するように遊技球を均す。
【００８１】
また、後壁部８７１ａの左右方向の略中央における排出球誘導通路８８０に対応する位置には、後述する振動発生器４１０が取り付けられており、該排出球誘導通路８８０において発生する球詰まりを解消できるようになっている。
【００８２】
図１１および図１２に示すように、移動タンク８６２は、平面視横長長方形状に形成された第２底部６００と、該第２底部６００の前側の縁から立設された壁部としての前方壁部６１０と、該第２底部６００の左右両側の縁から立設された壁部としての第２側壁部６１１とから構成されている。即ち、移動タンク８６２は、第２底部６００の３辺からコ字状に前記各壁部６１０，６１１が立設されており、上方と後方が開口されている。
【００８３】
第２底部６００は、左右方向の中央位置に設けられる中底面６０１、中底面６０１の左右側に設けられる左底面６０２、右底面６０３から構成されている。中底面６０１は、左右方向に略水平に配置され、後側に向けて下方に傾斜する傾斜面状に形成されているとともに、左底面６０２および右底面６０３は、左右方向の中央側に向けて下方に傾斜する平坦状の傾斜面にて形成されている。よって、中底面６０１は、前端位置から前後方向の中央位置に向けて左右幅寸法が漸次狭くなる平面視逆ハの字形状の前部と、平面視略長方形状の後部と、から平面視略漏斗状に形成されており、傾斜上位側となる中底面６０１の前部と左底面６０２、右底面６０３とは直接連設され、傾斜下位側となる中底面６０１の後部と左底面６０２、右底面６０３とは段部６０４を介して連設されている。
【００８４】
すなわち、第２底部６００は、後側に向けて下方に傾斜する中底面６０１と、左右幅方向の中央側に向けて下方に傾斜する左底面６０２、右底面６０３と、により、後側に設けられる排出シュート８６９に向けて遊技球を誘導するために正面視略凹状に形成されていることで、左右方向の中央に浅底の凹溝部が前方壁部６１０から後端にかけて前後方向に延設されている。よって、第２底部６００上の左右側に落下した遊技球は、中央の中底面６０１に集められてから後側に誘導されるとともに、特に第２底部６００の周縁部、つまり、前方壁部６１０や第２側壁部６１１の近傍に落下した遊技球が内向きに跳ね返るようになるため、周囲に飛散することが防止される。
【００８５】
左底面６０２および右底面６０３の後端における左右の第２側壁部６１１の近傍位置には、係止突起６２０がそれぞれ上向きに突設されている。左右一対の係止突起６２０は、上方に延びる柱状部６２０ｂと、該柱状部６２０ｂの上端から後向きに屈曲形成されるフック部６２０ａと、からそれぞれ構成されている。フック部６２０ａは縦断面略半ドーム形状に形成され、平坦状をなす下面６２１は、左底面６０２、右底面６０３から、少なくとも第２緩衝板５５０の厚み幅寸法よりも大きい隙間を隔てた高さ位置に配置されている。
【００８６】
このように係止突起６２０は、フック部６２０ａが左底面６０２および右底面６０３の後端よりも後側に突出するように形成されていることで、該フック部６２０ａを成型するための成型用穴や成型用切欠部を左底面６０２および右底面６０３上に形成する必要がないので、底面の強度低下を防止できる。
【００８７】
尚、係止突起６２０は、上記の理由により柱状部６２０ｂが左底面６０２および右底面６０３の後端に沿って立設されていたが、柱状部６２０ｂを後端に沿って立設しなくてもよい。また、ここでは第２緩衝板５５０の上下のバタつきを押えるためにフック部６２０ａが形成されていたが、後方への位置ずれを防止するだけであれば柱状部６２０ｂのみが形成されていればよい。
【００８８】
前方壁部６１０の左右方向の略中央位置には検出用開口４５１が形成されており、前方壁部６１０の外面に取り付けられた球詰り検出センサ４５０の検出部が受入部８０１側に露呈されている。そして、後述するように、排出球誘導通路８８０において球詰まりが発生して受入部８０１内に遊技球が滞留されて球詰り検出センサ４５０により遊技球が検出されたとき、振動発生器４１０が駆動されるようになっている。
【００８９】
また、前方壁部６１０の内面所定位置には、所定長さ（例えば約１ｃｍ）を有する複数の突出片６３０ａ〜６３０ｄが内向きに突出して設けられている。突出片６３０ａ〜６３０ｄは縦断面略半円形状に形成され、平坦状をなす下面における先端部近傍には、係止突部（図示略）が下向きに突設されており、下面と中底面６０１、左底面６０２、右底面６０３との間に、少なくとも第２緩衝板５５０の厚み幅寸法よりも大きい隙間を隔てて、各底面の上方所定高さ位置に配置されている。
【００９０】
具体的には、第２底部６００は平面視略方形状に形成され、互いに対向する左右辺から反対側に向けて下方に傾斜する一対の左底面６０２，右底面６０３と、該一対の底面間に配置される中底面６０１と、を有し、突出片は、左底面６０２，右底面６０３の前傾斜辺に沿って立設される前方壁部６１０における左底面６０２，右底面６０３それぞれに対応する位置に配置される一対の突出片６３０ａ，６３０ｂと、該前方壁部６１０における中底面６０１に対応する位置に配置される突出片６３０ｃ，６３０ｄと、からなる。
【００９１】
すなわち、受入部の底面である中底面６０１，左底面６０２，右底面６０３は、該底面上に落下した遊技球を後側に配設される排出シュート８６９に向けて誘導するために正面視略凹状に形成され、前方壁部６１０には、底面６０１〜６０３の凹状（前端縁）に合わせて複数の突出片６３０ａ〜６３０ｄが配置されていることで、突出片６３０ｃ，６３０ｄは突出片６３０ａ，６３０ｂよりも僅かに低位置に配置されている。これにより、第２緩衝板５５０の前端部を各底面６０１〜６０３に沿って配置できるため、第２緩衝板５５０の前端部における左右方向の中央部、つまり最低位置にある底面６０１に対応する箇所の浮き上がりが防止される。
【００９２】
尚、本実施例では、受入部の底面である中底面６０１，左底面６０２，右底面６０３は縦断面視略凹状に形成され、前方壁部６１０には、底面６０１〜６０３の凹状に合わせて複数の突出片６３０ａ〜６３０ｄが配置されていたが、受入部の底面は、該底面上に落下した遊技球を後側に配設される排出シュート８６９に向けて誘導するために縦断面視略凹状に形成されていれば、その形状は、本実施例のように平坦面状の３つの底面６０１〜６０３にて上向き凹状に形成されているものに限定されるものではなく、例えば２つの底面にて略Ｖ字形に形成されていてもよいし、あるいは湾曲状の底面にて上向き略Ｕ字形に形成されていてもよい。
【００９３】
また、各突出片６３０ａ〜６３０ｄの基端上部と前方壁部６１０の内面とは、側面視三角形状をなす補強用のリブ６３３を介して一体化されており、各突出片６３０ａ〜６３０ｄの基端部の強度を向上させて遊技球の接触による破損が防止されている。尚、補強用のリブ６３３は各突出片６３０ａ〜６３０ｄの基端部付近にのみ設けられているが、先端に向けて延設すれば各突出片６３０ａ〜６３０ｄの基端部の強度をより向上させることができる。
【００９４】
尚、この突出片６３０ａ〜６３０ｄの突出長さ寸法は、第２底部６００上の遊技球が前方壁部６１０の内面に当接した状態において該遊技球に当接しない長さ寸法（例えば、遊技球の半径５．５ｍｍ未満）に形成されていることが好ましく、このようにすれば、パチンコ遊技機２の排出口１１２から排出された遊技球が突出片６３０ａ〜６３０ｄに落下して突出片６３０ａ〜６３０ｄが破損することが防止される。
【００９５】
図１１に戻って、中底面６０１、左底面６０２、右底面６０３における各突出片６３０ａ〜６３０ｄの直下には、突出片６３０ａ〜６３０ｄを形成するための成型用穴６３１がそれぞれ対応して形成されている。成型用穴６３１は、各突出片６３０ａ〜６３０ｄよりも大きく形成されている。
【００９６】
前方壁部６１０の前面上部には、遊技球の飛散を防止する図示しないガイド部材を取り付けるための突起６３４が所定間隔おきに複数（本例では４個）設けられている。
【００９７】
第２側壁部６１１の上端における前方壁部６１０との連設部近傍には当接段部６４０が形成されており、該当接段部６４０がベースタンク８６１の第１側壁部７１１に設けられた前側のガイド突起７２８の前面に当接することで移動タンク８６２の後方移動が規制されるようになっている。
【００９８】
また、第２側壁部６１１は、第２底部６００の後端から後方に延設される所定長さのガイド部６１１ａを有している。ガイド部６１１ａの上下寸法は前後方向に向けて一定であり、第１側壁部７１１のガイド突起７２８と左右底部７０２，７０３との間に差し込み可能な幅寸法に形成されている。
【００９９】
第２側壁部６１１の外面には、側面視横長長方形状の隆起部６５０が長手方向に向けて延設されており、ベースタンク８６１に対して移動タンク８６２を組み付けたときに、第１側壁部７１１の内面に近接（または摺接）するようになっている。このように、第２側壁部６１１の隆起部６５０外面が第１側壁部７１１の内面に近接して配置されることにより両者間に形成される隙間が小さくなることによって、ベースタンク８６１に対する移動タンク８６２の保持部が増加し、ベースタンク８６１に対する移動タンク８６２の保持力がより大きくなるため、ベースタンク８６１に対して移動タンク８６２が傾いたり外れたりしにくくなる。
【０１００】
図１２に示すように、第２底部６００の下面左右側には、鉛直方向上向きに延びるように板状の移動規制部８８８が形成されている。移動規制部８８８の先端には、前後方向に沿って並列された複数の鋸歯からなるラック８８８ａが左右方向外側に突出形成されている。
【０１０１】
また、図１８に示すように、ラック８８８ａの各鋸歯の係合面における傾斜角度θ２（ラック８９７ａとの対向面に対する法線Ｐ２に対する傾斜角度）は、移動規制部８５６のラック８５６ａの各鋸歯の係合面における傾斜角度θ１（ラック８６７ａとの対向面に対する法線Ｐ１に対する傾斜角度）よりも小さい（θ２＜θ１）。
【０１０２】
つまり、ベースタンク８６１に対して移動タンク８６２を前後方向の所定位置に保持するためのラック８９７ａおよびラック８８８ａの鋸歯は、支持部８０２に受入部８０１を係合するためのラック８５６ａおよびラック８６７ａの鋸歯よりも傾斜がきつくなっている。言い換えると、ラック８９７ａおよびラック８８８ａの鋸歯は、ラック８５６ａおよびラック８６７ａの鋸歯よりも、双方のラックが互いに乗り越えにくい形状とされていることで、ラック８５６ａとラック８６７ａとの係合力（保持力）はラック８９７ａとラック８８８ａとの係合力（保持力）よりも小さくなっている。
【０１０３】
よって、移動タンク８６２に後方に向けて所定の大きさの力が加わったときに、ラック８９７ａとラック８８８ａとの係合よりも先にラック８５６ａとラック８６７ａとの係合が解除されるため、ベースタンク８６１に対して移動タンク８６２が移動するよりも先に、支持部８０２に対して受入部８０１が後方に移動することになる。
【０１０４】
また、係合部８５４の案内爪８５４ａと案内部８６６の突出部８６６ａとの係合力（保持力）は、ラック８９７ａとラック８８８ａとの係合力（保持力）よりも小さくなっている。よって、移動タンク８６２に対して後方に向けて所定の大きさの力が加わったときに、ラック８９７ａとラック８８８ａの係合よりも先に案内爪８５４ａと突出部８６６ａとの係合が先に解除されるため、ベースタンク８６１に対して移動タンク８６２が移動するよりも先に、支持部８０２から受入部８０１が離脱するようになっている。
【０１０５】
また、係合部８４３の係合爪８４３ａと案内溝８３３との係合力（保持力）は、ラック８９７ａとラック８８８ａとの係合力（保持力）よりも小さくなっている。よって、移動タンク８６２に対して後方に向けて所定の大きさの力が加わったときに、ラック８９７ａとラック８８８ａの係合よりも先に係合爪８４３ａと案内溝８３３との係合が先に解除されるため、ベースタンク８６１に対して移動タンク８６２が移動するよりも先に、取付ベース８３０から外部支持脚８４０が離脱するようになっている。
【０１０６】
また、第２底部６００の下面における左右の移動規制部８８８の内側には、第１底部７００に形成された成型用穴７２５に上方から嵌合される四角柱状の第１ガイド突起６５１ａ，６５１ｂと、第１ガイド突起６５１ａ，６５１ｂの外側に配置され、第１底部７００に形成された成型用穴７２６に上方から嵌合される底面視略外向きコ字形の第２ガイド突起６５２ａ，６５２ｂと、がそれぞれ突設されている。これら第１ガイド突起６５１ａ，６５１ｂおよび第２ガイド突起６５２ａ，６５２ｂがそれぞれ成型用穴７２５，７２６内を摺動可能に嵌合されることで、ベースタンク８６１に対して移動タンク８６２が前後方向に案内されるようになっている。
【０１０７】
図１３に示すように、左右方向において、移動タンク８６２の第２底部６００の長さ寸法は、第１底部７００の長さ寸法よりも僅かに短く形成されている。即ち、左右方向において、第２側壁部６１１間の長さ寸法は、第１側壁部７１１間の長さ寸法よりも僅かに短く形成されている。
【０１０８】
そして、移動タンク８６２は、ベースタンク８６１の前方開口側と移動タンク８６２の後方開口側とを対向させた状態で、左右の移動規制部８８８の先端を内向きに弾性変形させて第１底部７００の成型用穴７２７に上方から差し込むことで、第１底部７００の下方において左右の移動規制部８８８のラック８８８ａが外側に向けて弾性復帰して案内板８９７のラック８９７ａに係合し、さらにラック８８８ａの上端が第１底部７００の下面における成型用穴７２７の周縁に係止されるとともに、第２側壁部６１１の上端部が第１側壁部７１１のガイド突起７２８に係合することによって、ベースタンク８６１の上方開口部から上方に向けて抜け出ないようにベースタンク８６１に取り付けられる。
【０１０９】
このようにベースタンク８６１と移動タンク８６２が取り付けられると、第２底部６００の後部は、第１底部７００の前底面７０１ａ，７０２ａ，７０３ａ上に重なり、また、第１側壁部７１１の内側と第２側壁部６１１の外側の一部が互いに摺接するようになるため、受入部８０１は、第１底部７００と第２底部６００からなる底面が前方壁部６１０、後方壁部７１０、及び第１，第２側壁部７１１，６１１によって囲まれ、上方が開口した有底箱状となる。
【０１１０】
また、移動タンク８６２は、ベースタンク８６１に対して、第２底部６００が前述のようにベースタンク８６１内に収容され、第１底部７００に対し上側に重畳する収容位置（図１９参照）と、第２底部６００の前部が第１底部７００よりも前方に突出し、第１底部７００に対する第２底部６００の重畳面積が前記収容位置よりも小さくなる突出位置（図２０参照）と、の間で前後方向にスライド移動可能に取り付けられる。そのため、受入部８０１の底面の面積（底面積）は、ベースタンク８６１に対して移動タンク８６２をスライド移動させることによって前後方向に拡縮される。尚、本実施例では、ベースタンク８６１と移動タンク８６２を取り付けた状態において、第１底部７００の底面積と第２底部６００の底面積を合わせた全体面積から、第１底部７００と第２底部６００とが重なっている重複面積を引いた部分の面積が受入部８０１の底面積となる。また、収容位置において第２底部６００の後部が第１底部７００の上側に重畳するようになっていたが、収容位置において第２底部６００が第１底部７００の上側に重畳しない、つまり、第２底部６００全域が第１底部７００の前方に突出してもよい。
【０１１１】
また、図１３、図１７及び図１８に示すように、移動タンク８６２は、突出位置および収容位置において、成型用穴７２７に上方から差し込まれた移動規制部８８８のラック８８８ａが案内板８９７の前後の規制壁に当接規制されることにより、ベースタンク８６１の前方開口部から前方に向けて抜け出ないようになっている。
【０１１２】
また、移動タンク８６２をベースタンク８６１に収容することで、ベースタンク８６１の下面に形成されたラック８９７ａに移動タンク８６２のラック８８８ａが係合することで、所定の力を加えることで前後方向に段階的に移動させることができる。
【０１１３】
また、第２側壁部６１１の隆起部６５０外面が第１側壁部７１１の内面に近接して配置され、さらに第１ガイド突起６５１ａ，６５１ｂが成型用穴７２５に嵌合されるとともに、第２ガイド突起６５２ａ，６５２ｂが成型用穴７２６に嵌合される。このように移動タンク８６２は、左右方向に複数並設された複数の規制手段（第２側壁部６１１の隆起部６５０外面と第１側壁部７１１の内面、第１ガイド突起６５１ａ，６５１ｂと成型用穴７２５、第２ガイド突起６５２ａ，６５２ｂと成型用穴７２６）により、ベースタンク８６１に対して前後方向へ移動する際における前後方向以外の方向への移動、例えば左右方向へのガタつきや水平回転が規制されるため、移動タンク８６２が傾くことが防止される。
【０１１４】
このように構成されるタンク本体８００は、図１４に示すように、取付ベース８３０に対して外部支持脚８４０が左右方向に段階的（本実施例では８段階）にスライド移動可能に設けられていることで（本実施例では約８０ｍｍの移動範囲）、パチンコ遊技機２の排出口１１２の配置位置に応じて、支持部８０２に対して受入部８０１を左右方向に移動することで、支持部８０２に対する受入部８０１の左右位置調整ができるようになっている。また、球計数器８２６の取り付け位置を左側または右側に変更することができるため、取付ベース８３０に対する外部支持脚８４０の配置位置に応じて、ベース金具９００との干渉を避けるように配置することが可能である。
【０１１５】
また、図１５に示すように、外部支持脚８４０に対して内部支持脚８５０が上下方向に段階的（本実施例では３段階）にスライド移動可能に設けられていることで（本実施例では約１６ｍｍの移動範囲）、パチンコ遊技機２の排出口１１２の配置位置に応じて、支持部８０２に対して受入部８０１を上下方向に移動することで、外部支持脚８４０に対する内部支持脚８５０の上下位置、つまり、取付ベース８３０に対する受入部８０１の上下位置調整ができるようになっている。
【０１１６】
尚、受入部８０１の前側の有効深さ寸法は約１５．５ｍｍであり、後側の有効深さ寸法は約３９．５ｍｍとされている。また、受入部８０１の前後幅寸法は、最小で８７ｍｍ、最大で１２７ｍｍとされているとともに、左右幅寸法は２０８ｍｍ（図１４参照）とされている。
【０１１７】
また、図１６に示すように、内部支持脚８５０に対してベースタンク８６１が前後方向に移動可能に設けられていることで（本実施例では約４０ｍｍの移動範囲）、パチンコ遊技機２の排出口１１２の配置位置に応じて、支持部８０２に対して受入部８０１を前後方向に移動することで、支持部８０２に対する受入部８０１の前後位置調整ができるようになっている。また、受入部８０１を収容位置に配置するとともに、支持部８０２に対して後方位置に配置することで、タンク本体８００をベース金具９００（図１９、図２０参照）から取り外さなくても、その前方に配置されるパチンコ遊技機２の取り外しおよび設置作業を行うことが可能となる。
【０１１８】
以上のように構成された移動タンク８６２をベースタンク８６１に対して前後方向にスライド移動可能に取り付けることにより底面積を拡縮自在な受入部８０１が構成され、この受入部８０１の底面上には、第１緩衝板５００Ｌ，５００Ｃ，５００Ｒおよび第２緩衝板５５０を交換可能に敷設できるようになっている。これら第１緩衝板５００Ｌ，５００Ｃ，５００Ｒおよび第２緩衝板５５０は、例えば、軟質の塩化ビニル樹脂材にて所定の厚み幅寸法（例えば約２ｍｍ）を有する板状に形成され、遊技球の落下により生じる衝撃を緩衝して衝撃の受入部８０１への伝達を極力抑制して遊技球の飛散を防止する。尚、第１緩衝板５００Ｌ，５００Ｃ，５００Ｒおよび第２緩衝板５５０は軟質の塩化ビニル樹脂材にてシート状に構成されていたが、例えば弾性変形により衝撃を緩衝しうる弾性体であれば素材は上記のものに限定されるものではなく、例えば天然ゴム、ブタジエンゴム等のゴム材質などで形成されていてもよい。
【０１１９】
また、第１緩衝板５００Ｌ，５００Ｃ，５００Ｒは、後底面７０１ｂ上に敷設される中緩衝板５００Ｃ、後底面７０２ｂ上に敷設される左緩衝板５００Ｌ、後底面７０３ｂ上に敷設される右緩衝板５００Ｒから構成され、それぞれは各後底面７０１ｂ，７０２ｂ，７０３ｂとほぼ同形状に形成されている。
【０１２０】
第２緩衝板５５０は、平面視横長長方形状の平板状をなし、左右幅寸法は第２底部６００の左右幅寸法とほぼ同形に形成されているが、前後幅寸法は、第２底部６００の前後幅寸法よりも長寸とされており、１枚の第２緩衝板５５０により各底面６０１〜６０３上が覆われるようになっている。
【０１２１】
このように構成された第１緩衝板５００Ｌ，５００Ｃ，５００Ｒおよび第２緩衝板５５０は、タンク本体８００の上方から取り付け、取り外しできるようになっている。
【０１２２】
また、図１７に示すように、突出片６３０ａ〜６３０ｄは第２緩衝板５５０の前端部の上方に配置され、係止突起６２０は左右端部にそれぞれ設けられていることで、第２緩衝板５５０の前・左右端部以外の箇所は底面６０１〜６０３上にフリーな状態で敷設されるため、前端部および左右端部以外の内側領域は遊技球の落下による衝撃にて上下にバタつきが生じるようになっている。これにより、第２緩衝板５５０上に遊技球が落下して生じた衝撃が、底面上に直接貼着する場合等に比べて第２底部６００に伝達されにくくなるため、遊技球の飛散が防止される。
【０１２３】
また、突出片６３０ａ〜６３０ｄは前方壁部６１０の内面から内向きに突出されていることで、第２緩衝板５５０の前端部を底面６０１〜６０３の間に背面側から差し込むだけで簡単に取り付けできるばかりか、取り付けた状態において、第２緩衝板５５０の前端部を上方から押えることができるため、上下のバタつきを抑制できるばかりか、向きや高さ位置が異なる各底面６０１〜６０３に沿わせて敷設することができる。さらに、突出片６３０ａ〜６３０ｄは所定長さを有していることで、第２緩衝板５５０の上面を前端部から内側にかけて連続して押えることができるため、バタつきや反り返りを確実に抑制することができる。
【０１２４】
また、第２底部６００もしくは第１底部７００上における左右側に落下した遊技球は、それぞれ中央の中底面６０１、中底部７０１に向けて流下して集められた後、後側の連通口８６４ａに向けて誘導され、該連通口８６４ａから排出シュート８６９を介して排出口８０３から排出された後、球計数器８２６にて計数される。このように、受入部８０１にて受け入れた遊技球は、球計数器８２６にて計数するために排出シュート８６９にて１列に整列させる必要があるため、第２底部６００および第１底部７００を正面視凹状に形成することにより、落下した遊技球を左右方向の中央に集めながら後側の排出シュート８６９にスムーズに誘導する溝状部が前方壁部６１０から連通口８６４ａに向けて延設されるため、受入部８０１内で球詰まり等が発生しにくくなる。
【０１２５】
次に、このように構成されたアウトタンク８の取付状況を図１９及び図２０に基づいて説明する。図１９は、タンク本体を第１取付孔に取り付けた状態を示す図である。図２０は、タンク本体を第２取付孔に取り付けた状態を示す図である。
【０１２６】
図１９には、設置台を構成する設置板２０の設置面２０ａ上に固定されたパチンコ遊技機２Ａ，２Ｂの背面側にアウトタンク８Ａ，８Ｂが配置された状態が示されている。具体的には、図中左右側のパチンコ遊技機２Ａ，２Ｂの排出口１１２は、パチンコ遊技機２Ａ，２Ｂに対して左右方向の略中央位置であって（図３参照）、前面枠１０１の背面から所定幅（例えば約１０ｃｍ）離れた位置に配置されている。また、パチンコ遊技機２Ａ，２Ｂは製造メーカーまたは機種が異なるものであるため、図中左側のパチンコ遊技機２Ａにおける設置面２０ａから排出口１１２までの高さ寸法Ｌ１０に対し、図中右側のパチンコ遊技機２Ｂにおける設置面２０ａから排出口１１２までの高さ寸法Ｌ２０の方が大きい（Ｌ１０＜Ｌ２０）。つまり、パチンコ遊技機２Ｂの排出口１１２は、パチンコ遊技機２Ａの排出口１１２よりも高い位置に配置されている。
【０１２７】
一方、アウトタンク８Ａ，８Ｂにおいては、ベース金具９００は、パチンコ遊技機２Ａ，２Ｂの背面側における左右方向の中央位置に固定されており、タンク本体８００は、取付ベース８３０がベース金具９００の第１取付部にネジ（図示略）により取り付けられている。このように取付ベース８３０を第１取付部に取り付けた状態において、排出口１１２の直下に支持部８０２が配置される。また、球計数器８２６がベース金具９００と干渉することを避けるため、受入部８０１は支持部８０２に対して後側にずらした後方位置に配置される。
【０１２８】
また、アウトタンク８Ａ，８Ｂは、外部支持脚８４０に対して内部支持脚８５０を下段位置に配置したときに、取付ベース８３０、外部支持脚８４０及び内部支持脚８５０、受入部８０１それぞれの上下寸法の合算値であるタンク本体８００の上下寸法がＰ１０となり、外部支持脚８４０に対して内部支持脚８５０を上段位置に配置したときにタンク本体８００の上下寸法がＰ２０となる（Ｐ１０＜Ｐ２０）。そしてタンク本体８００の上下寸法の最大値であるＰ２０は、設置面２０ａから排出口１１２までの高さ寸法Ｌ１０よりも小さいため、いずれも第１取付部に取り付けることが可能である（Ｐ１０＜Ｐ２０＜Ｌ１０＜Ｌ２０）。
【０１２９】
よって、アウトタンク８Ａは、タンク本体８００の上下寸法をＰ１０とした状態で第１取付部に取り付け、アウトタンク８Ｂは、タンク本体８００の上下寸法をＰ２０とした状態で第１取付部に取り付けることができる。すなわち、パチンコ遊技機２Ａの排出口１１２よりもパチンコ遊技機２Ｂの排出口１１２の方が高い位置に配置されているため、アウトタンク８Ｂのタンク本体８００を上下寸法Ｐ２０とした状態で第１取付部に取り付けることで、受入部８０１を排出口１１２に近づけることができるため、排出口１１２から排出され受入部８０１に落下するまでの距離が長くなって、受入部８０１上に落下した遊技球が周囲に飛散することが防止される。
【０１３０】
また、排出口１１２の直下に配置される受入部８０１を支持する支持部８０２自体も排出口１１２の直下に配置されることで、遊技球が受入部８０１上に落下した衝撃を受入部８０１だけでなく支持部８０２でも吸収できるため、受入部８０１の振動が防止されるとともに、受入部８０１の破損等が効果的に防止される。
【０１３１】
尚、アウトタンク８Ａではタンク本体８００の上下寸法を最小値であるＰ１０とし、アウトタンク８Ｂではタンク本体８００の上下寸法を最大値であるＰ２０としたが、本実施例では、外部支持脚８４０に対する内部支持脚８５０の高さ位置を３段階で調整できるため、排出口１１２の高さ位置に応じて外部支持脚８４０に対する内部支持脚８５０の高さ位置を中段位置としてもよい。
【０１３２】
図２０には、設置面２０ａから排出口１１２までの高さ寸法Ｌ３０，Ｌ４０が、図１９に示すパチンコ遊技機２Ａの高さ寸法Ｌ１０よりも小さい、つまり排出口１１２がより低い位置に配置されたパチンコ遊技機２Ｃ，２Ｄの背面側にアウトタンク８Ａ，８Ｂが配置された状態が示されている。また、図中左側のパチンコ遊技機２Ｃにおける設置面２０ａから排出口１１２までの高さ寸法Ｌ３０に対し、図中右側のパチンコ遊技機２Ｄにおける設置面２０ａから排出口１１２までの高さ寸法Ｌ４０の方が大きい（Ｌ３０＜Ｌ４０）。つまり、パチンコ遊技機２Ｄの排出口１１２は、パチンコ遊技機２Ｃの排出口１１２よりも高く、パチンコ遊技機２Ａ，２Ｂの排出口１１２よりも低い位置に配置されている（Ｌ３０＜Ｌ４０＜Ｌ１０＜Ｌ２０）。
【０１３３】
設置面２０ａから排出口１１２までの高さ寸法Ｌ３０は、タンク本体８００の上下寸法の最小値であるＰ１０よりも小さく（Ｌ３０＜Ｐ１０）、また、設置面２０ａから排出口１１２までの高さ寸法Ｌ４０は、タンク本体８００の上下寸法の最大値であるＰ２０よりも小さい（Ｌ４０＜Ｐ２０）。このように排出口１１２が極端に低い位置に配置されているパチンコ遊技機２Ｃ，２Ｄの背面側にアウトタンク８Ａ，８Ｂを配置する場合、タンク本体８００の上下寸法を最小値であるＰ１０としても、取付ベース８３０と外部支持脚８４０及び内部支持脚８５０とからなる支持部８０２が邪魔になって排出口１１２が形成される機構板１１５に受入部８０１が干渉してしまい、取付ベース８３０を第１取付部に取り付けることができない。
【０１３４】
そこで、取付ベース８３０を、第１取付部よりも後側下方位置に形成された第２取付部にネジ（図示略）により取り付け、受入部８０１を支持部８０２に対して前側にずらした前方位置に配置することで、取付ベース８３０を設置面２０ａよりも低い位置に取り付けることができる。すなわち、支持部８０２の下部を設置面２０ａよりも下方にずらして取り付けることができるため、受入部８０１を排出口１１２の直下に配置することが可能となる。
【０１３５】
このように、タンク本体８００の上下寸法Ｐ１０、Ｐ２０よりも設置面２０ａから排出口１１２までの高さ寸法Ｌ３０，Ｌ４０が小さい場合、つまり排出口１１２が極端に低い位置に配置されている場合でも、取付ベース８３０を第２取付部に取り付けることで、受入部８０１のみを設置面２０ａと排出口１１２との間に差し込んで排出口１１２の直下に配置することができる。
【０１３６】
尚、このように取付ベース８３０を第２取付部に取り付けた場合、タンク本体８００の配置位置がパチンコ遊技機２Ｃ，２Ｄから遠ざかることになるため、受入部８０１は支持部８０２に対して前側にずらした前位置に配置することで、受入部８０１を極力前方に配置することができるとともに、ベースタンク８６１に対して移動タンク８６２を前方にスライド移動させることで、受入部８０１の底面積、つまり球受面積を前方に拡大することができるため、排出口１１２から落下される遊技球を受入部８０１にて確実に受け入れることが可能となる。
【０１３７】
また、パチンコ遊技機２Ｃの排出口１１２よりもパチンコ遊技機２Ｄの排出口１１２の方が若干高い位置に配置されているため、アウトタンク８Ｄのタンク本体８００の上下寸法を最大値であるＰ２０とすることで、受入部８０１を排出口１１２に近づけて遊技球の飛散を防止することができる。
【０１３８】
尚、アウトタンク８Ｃではタンク本体８００の上下寸法を最小値であるＰ１０とし、アウトタンク８Ｄではタンク本体８００の上下寸法を最大値であるＰ２０としたが、本実施例では、外部支持脚８４０に対する内部支持脚８５０の高さ位置を３段階で調整できるため、排出口１１２の高さ位置に応じて外部支持脚８４０に対する内部支持脚８５０の高さ位置を中間位置としてもよい。
【０１３９】
このようにアウトタンク８は、パチンコ遊技機２の排出口１１２と受入部８０１との離間幅が大きいと、排出口１１２から受入部８０１に落下した排出球が飛散して球計数器８２６にて計数できなくなるため、排出口１１２が高い位置にある場合には受入部８０１を極力近づけることができるように、設置面２０ａ上に立設される柱状の支持部８０２により受入部８０１を下方から支持するとともに、特に排出口１１２の高さ位置は複数種のパチンコ遊技機２で微妙に異なることがあるため、複数種のパチンコ遊技機２に対応して設置するには支持部８０２に高さ位置調整機構を設けて受入部８０１の高さ位置を微調整可能とする必要がある。しかし、近年においては、遊技盤に設けられる演出表示装置や役物等の大型化に伴い遊技領域が下方に拡大され、これに応じて排出口１１２がより一層低い位置に配置される傾向があるため、この種のパチンコ遊技機２に対応してアウトタンク８を設置する場合に支持部８０２が邪魔になることがあるが、ベース金具９００を用いれば、取付ベース８３０を設置面２０ａよりも下方位置に取り付けることができるため、支持部８０２があっても受入部８０１を排出口１１２の直下に配置することができる。
【０１４０】
また、本発明の実施例としてのアウトタンク８は、係合部８５４の案内爪８５４ａと案内部８６６の突出部８６６ａとの係合力は、ラック８９７ａとラック８８８ａとの係合力よりも小さくなっている。すなわち、支持部８０２に受入部８０１を保持する保持力は、ベースタンク８６１に対し移動タンク８６２を所定の前後位置に保持する保持力よりも小さい。よって、例えば、パチンコ遊技機２の前面枠１０１を外枠１００に対して閉塞したときに、前面枠１０１の背面に配線されたケーブル（図示略）が移動タンク８６２に接触して移動タンク８６２が後方に押し出されたとしても、ラック８９７ａとラック８８８ａの係合よりも先に案内爪８５４ａと突出部８６６ａとの係合が先に解除されるため、ベースタンク８６１に対して移動タンク８６２が移動するよりも先に、内部支持脚８５０から受入部８０１（ベースタンク８６１）が離脱する。
【０１４１】
また、係合部８４３の係合爪８４３ａと案内溝８３３との係合力は、ラック８９７ａとラック８８８ａとの係合力よりも小さくなっている。すなわち、支持部８０２に受入部８０１を保持する保持力は、ベースタンク８６１に対し移動タンク８６２を所定の前後位置に保持する保持力よりも小さい。よって、例えば、パチンコ遊技機２の前面枠１０１を外枠１００に対して閉塞したときに、前面枠１０１の背面に配線されたケーブル（図示略）が移動タンク８６２に接触して該移動タンク８６２が後方に押し出されたとしても、ラック８９７ａとラック８８８ａの係合よりも先に係合爪８４３ａと案内溝８３３との係合が先に解除されるため、ベースタンク８６１に対して移動タンク８６２が移動するよりも先に、取付ベース８３０から、外部支持脚８４０とともに受入部８０１が離脱する。
【０１４２】
一般的に、遊技場における新台入れ替えや台移動の際に、遊技島の設置板２０上にパチンコ遊技機２を設置したときには、アウトタンク８は機構板１１５等に接触することのないように排出口１１２の直下に配置される。しかし、例えば営業中においてパチンコ遊技機２に何らかのエラー等が発生してパチンコ遊技機２の背面に設けられた各種基板等の点検などが実施されたときにケーブル（図示略）等の配線位置等がずれたり、何らかの遊技部品の配置位置がずれるなどして、前面枠１０１の閉塞時に移動タンク８６２に接触してしまうことが考えられるが、移動タンク８６２にケーブル（図示略）等が接触して後方に押出された場合に、上記のように、移動タンク８６２がベースタンク８６１に対して相対移動するよりも先に、受入部８０１が支持部８０２から離脱する、あるいは受入部８０１が外部支持脚８４０とともに取付ベース８３０から離脱することで、受入部８０１は遊技球を受け入れ可能な受入姿勢を保持することができなくなる。
【０１４３】
よって、パチンコ遊技機２から排出された遊技球が球計数器８２６にて計数されなくなり、後述するように明らかに不具合が生じていることが分かるようになるため、不具合が生じた場合に早期のうちに対処することが可能となる。
【０１４４】
また、特にパチンコ遊技機２は、外枠１００における上下方向を向く左側辺を中心として開閉可能に枢支されているため、前面枠１０１を閉塞した際に、ケーブル（図示略）等は前方から後方に向けて水平移動してくるため、ベースタンク８６１に対し移動タンク８６２が後方にスライド移動しやすい。また、左側辺を中心に回転することから、移動タンク８６２が押圧された時にタンクが左右方向に振れやすい。よって、上記のように、ベースタンク８６１に対し移動タンク８６２が相対移動して傾いたりするよりも先に受入部８０１が支持部８０２から離脱する、あるいは受入部８０１が外部支持脚８４０とともに取付ベース８３０から離脱することで、移動タンク８６２が中途半端に移動してアウト球を部分的に計数することが防止される。
【０１４５】
また、上記では、前面枠１０１の閉塞時に移動タンク８６２がベースタンク８６１側に押し込まれたり傾くことにより、遊技球を受入部８０１にて受け入れることができない状況になる旨が記載されていたが、例えば前面枠１０１の開放時等において移動タンク８６２にケーブル（図示略）等が引っ掛かる等何らかの理由により、ベースタンク８６１から移動タンク８６２が引き出されて外れてしまった場合でも、ベースタンク８６１から一部の遊技球がこぼれ落ちてアウト球を部分的にしか計数できなくなる。そしてこのような場合でも、ベースタンク８６１に対し移動タンク８６２が外れるよりも先に、受入部８０１が支持部８０２から離脱する、あるいは受入部８０１が外部支持脚８４０とともに取付ベース８３０から離脱するようにすれば、ベースタンク８６１から移動タンク８６２が外れてアウト球が中途半端に計数され、エラーとして認識されないまま放置されることが防止される。
【０１４６】
また、ベースタンク８６１に対する移動タンク８６２の前後移動時において該移動タンク８６２の前後方向以外の方向への移動を規制する規制手段として、第２側壁部６１１の隆起部６５０外面と第１側壁部７１１の内面、第１ガイド突起６５１ａ，６５１ｂと成型用穴７２５、第２ガイド突起６５２ａ，６５２ｂと成型用穴７２６を備えていることで、ベースタンク８６１に対して移動タンク８６２が傾いたり外れたりしにくくなる。
【０１４７】
また、支持部８０２に受入部８０１を係合するためのラック８５６ａとラック８６７ａとの係合力（保持力）は、ベースタンク８６１に対して移動タンク８６２を前後方向の所定位置に保持するためのラック８９７ａとラック８８８ａとの係合力（保持力）よりも小さくなっていることで、移動タンク８６２に対して後方に向けて所定の大きさの力が加わったときに、ラック８９７ａとラック８８８ａとの係合よりも先にラック８５６ａとラック８６７ａとの係合が解除されるため、ベースタンク８６１に対して移動タンク８６２が移動するよりも先に、支持部８０２に対して受入部８０１が後方に移動することになる。
【０１４８】
このように、受入部８０１が支持部８０２に対して前方または後方に移動するだけで、受入部８０１が支持部８０２から完全に離脱して、誘導樋１０Ｌ，１０Ｒ内に落下すること等が防止されるので、受入部８０１の紛失や誘導樋１０Ｌ，１０Ｒ内での球詰まり等が防止される。
【０１４９】
また、係合部８５４の案内爪８５４ａと案内部８６６の突出部８６６ａとの係合部（保持部）の数量（本例では左右２箇所）や、係合爪８４３ａと案内溝８３３との係合部（保持部）の数量（本例では左右２箇所）を、ラック８９７ａとラック８８８ａとの係合部（保持部）の数量（本例では左右２箇所）よりも少なくすることで、係合力（保持力）を小さくすることができる。
【０１５０】
また、係合部８５４の案内爪８５４ａと案内部８６６の突出部８６６ａとの係合部（保持部）や係合爪８４３ａと案内溝８３３との係合部（保持部）の材質を、ラック８９７ａとラック８８８ａとの係合部（位置保持部）の材質よりも軟質、つまり弾性変形し易い材質とすることで、係合力を小さくすることができる。
【０１５１】
また、本実施例では、受入部８０１を支持する支持部８０２は、内部支持脚８５０および外部支持脚８４０と取付ベース８３０とから構成され、このうち内部支持脚８５０に対してベースタンク８６１が取り外し可能に係合されるとともに、取付ベース８３０に対して外部支持脚８４０が取り外し可能に係合されていたが、これらのうちいずれか一方のみが取り外し可能とされていてもよいし、これ以外の他の箇所が取り外し可能に係合されていてもよいが、いずれの係合部の係合力も、ラック８９７ａとラック８８８ａとの係合力（位置保持力）よりも小さければ、ベースタンク８６１に対して移動タンク８６２が傾いたり外れたりするよりも先に、いずれかの係合部の係合が解除されて受入部８０１が完全に外れてしまうので、一部のアウト球のみが中途半端に計数され、エラーとして認識されないまま放置されることが防止される。
【０１５２】
次に、図２１〜図２５に基づいて、振動発生装置４００について説明する。図２１は、（Ａ）（Ｂ）振動発生器を示す説明図、（Ｃ）〜（Ｅ）は振動発生器の配置状態を示す説明図である。図２２は、（Ａ）（Ｂ）は球詰りの発生状況の一例を示す図である。図２３は、（Ａ）（Ｂ）は振動発生器を駆動した状態を示す図である。
【０１５３】
図２１に示すように、振動発生装置４００は、四角箱状に形成されたケース体４０１と、ケース体４０１内に配設される振動手段としての振動発生器４１０と、から主に構成されている。ケース体４０１は、図２２等に示すように、排出シュート８６９の後壁部８７１ａに一面を当接させた状態で接着剤等を介して固着されており、振動発生器４１０の振動が伝達されやすいようになっている。尚、本実施例では、ケース体４０１は接着剤等により排出シュート８６９の後壁部８７１ａに固着されているが、振動発生器４１０の振動が大きく減衰することなく伝達されるようになっていれば、ネジ等により取り付けられていてもよい。
【０１５４】
振動発生器４１０は、本実施例ではソレノイドが適用されており、図２１（Ａ）（Ｂ）に示すように、四角箱状に形成された本体４１１と、本体４１１内に配置された筒状のボビン（図示略）に環状に巻回されたコイル４１２と、コイル４１２（ボビン）内に移動可能に挿入されたプランジャ４１３と、プランジャ４１３を本体４１１から突出させる方向に付勢する圧縮バネ４１４と、から主に構成されている。また、プランジャ４１３の先端には拡径部４１３ａが設けられており、所定のウェイト（重量）を有している。
【０１５５】
図２１（Ａ）に示すように、無通電状態のときは、プランジャ４１３は圧縮バネ４１４の付勢力により本体４１１から突出し、図示しない規制手段により突出位置に保持され、図２１（Ｂ）に示すように、コイル４１２に電流が流れると磁界が発生し、その力によってプランジャ４１３が圧縮バネ４１４の付勢力に抗して本体４１１内に引き込まれて退避位置に保持される。つまり、プランジャ４１３は、該プランジャ４１３の軸心方向に直線往復移動可能に設けられており、電源のオン・オフを周期的に繰り返すことで、突出位置と退避位置との間で直線往復移動するため、この振動部材としてのプランジャ４１３の直線往復移動により、プランジャ４１３の軸心方向、つまり、一の方向（１次元方向）に向けて振動が発生するようになっている。
【０１５６】
また、図２１（Ｃ）〜（Ｅ）に示すように、振動発生器４１０は、ケース体４０１内に設けられた固定部材（図示略）等により該ケース体４０１内に所定の姿勢で固定されている。具体的には、振動発生器４１０は、プランジャ４１３の先端の拡径部４１３ａが右斜め前上方を向くように斜めに取り付けられている。つまり、プランジャ４１３の軸心方向、つまり、振動方向がアウトタンク８及びパチンコ遊技機２の上下方向、左右方向、前後方向それぞれに対し斜めに傾斜するようにケース体４０１内に固定されている。尚、プランジャ４１３が突出位置に移動してもケース体４０１の壁部に接触しないように設けられている。
【０１５７】
このように振動発生器４１０は、排出シュート８６９の後壁部８７１ａに固着されたケース体４０１内に図示しない固定部材により固定されていることで、ケース体４０１を介して排出シュート８６９の後壁部８７１ａに一体化されている。また、ケース体４０１や固定部材（図示略）は合成樹脂材等の非緩衝部材にて形成され、後壁部８７１ａに対しケース体４０１がガタツキなく取り付けられ、固定部材（図示略）に対し振動発生器４１０がガタツキなく取り付けられている。よって、振動発生器４１０にて発生した振動を大きく減衰させることなく、ケース体４０１を介して排出シュート８６９の後壁部８７１ａに好適に伝達できるようになっている。
【０１５８】
また、図２２に示すように、ケース体４０１は、後壁部８７１ａの背面における排出球誘導通路８８０に対応する位置に固定されている。より詳しくは、排出球誘導通路８８０の長手方向の略中央位置よりもやや上流側（傾斜上位側）で、受入部８０１の遊技球が流入する連通口８６４ａの真後ろに設けられている。よって、図２３に示すように、振動発生器４１０にて発生した振動は、後壁部８７１ａから排出シュート８６９全域に伝達され、さらに、排出シュート８６９に取り付けられた切替部材８７３や、排出シュート８６９に一体に形成されるベースタンク８６１や、ベースタンク８６１に対し前後移動可能に設けられた移動タンク８６２へ伝達される。尚、振動の大きさは、振動発生器４１０から遠ざかるにつれて次第に減衰していくため、排出球誘導通路８８０の近傍が最も振動が大きく、受入部８０１の前端に向けて次第に小さくなる。
【０１５９】
尚、本実施例では、振動発生器４１０は、受入部８０１の一部である排出シュート８６９の後壁部８７１ａに取り付けられていたが、本発明はこれに限定されるものではなく、振動発生器４１０は受入部８０１以外の任意の箇所（例えば、支持部８０２、取付ベース８３０など）に取付け可能である。
【０１６０】
図２２には、アウトタンク８における球詰り状況の一例が示されている。パチンコ遊技機２の排出口１１２から排出された遊技球は、鉛直下方に落下して受入部８０１にて受け入れられ、受入部８０１の傾斜により連通口８６４ａから排出シュート８６９に誘導された後、排出球誘導通路８８０を流下して排出口８０３から排出される。そして、排出口８０３の直下にある球計数器８２６を通過する際に検出されてアウト球として計数された後に遊技島１の側部樋１７Ｌ，１７Ｒに排出されることで遊技島１に回収されるようになっている。
【０１６１】
パチンコ遊技機２は、遊技球を遊技盤（図示略）の前面側に形成される遊技領域（図示略）に打ち込むことで遊技を行うものであり、本実施例のパチンコ遊技機２は、例えば、約１分間に１００球の遊技球を遊技球に向けて発射可能とされている。これら遊技領域に打ち込まれ、所定の入賞口に入賞した入賞球及びいずれの入賞口にも入賞せずにアウト口に進入したアウト球は、全て遊技盤の背面側に誘導された後、排出通路１１１を流下して排出口１１２から排出されるため、遊技者が遊技領域に遊技球を発射して遊技を行っているときは、排出口１１２から次々と排出されていく。
【０１６２】
また、本実施例のアウトタンク８は、このように次々と受入部８０１上に落下してくる遊技球を受入部８０１にて滞留させることなく、排出口８０３に向けてスムーズに誘導して流下させることができるように設計されている。よって、パチンコ遊技機２の排出口１１２から遊技球が連続して排出されたりすることがあっても、基本的には、受入部８０１にて受け入れて排出口８０３から排出されるまでに長時間滞留することなく、スムーズに排出されていく。
【０１６３】
しかし、何らかの要因（例えば、球噛みの発生、遊技球の表面に付着した汚れ、遊技球の流路面に堆積した汚れ、アウトタンク８上に異物が落下するなど）で、受入部８０１から排出口８０３までの間の所定の箇所、例えば、図２２（Ａ）に示されるように、排出口８０３の近傍位置や、排出球誘導通路８８０における球均し部材８７４に対応する位置などにおいて球詰りが発生した場合、パチンコ遊技機２の排出口１１２から遊技球が排出され続けると、排出球誘導通路８８０から受入部８０１にかけて、つまり、遊技球の流下方向の下流側から上流側に向けて遊技球が滞留していく。尚、図２２（Ｂ）に示すように、遊技球が受入部８０１の前方壁部６１０付近まで滞留した場合、パチンコ遊技機２の排出口１１２から排出される後続球は、受入部８０１上に滞留している遊技球の上部に積層されていく。
【０１６４】
また、図２２（Ｂ）に示すように、遊技球が受入部８０１の前方壁部６１０付近まで滞留し、球詰り検出センサ４５０により遊技球が検出されると、後述するように、球詰り信号が台端末２０５に出力される。台端末２０５の制御マイコン（ＭＰＵ）は、アウトタンク８から出力される球詰り信号を入力したとき、該球詰り信号が所定時間（例えば、５秒間）継続して入力されるか否かを監視する。そして、所定時間（例えば、５秒間）継続して球詰り信号の入力があった場合、球詰りが発生したとして、振動発生器４１０を駆動（電源のオン・オフの繰り返し）させて振動を発生させる。尚、通常は、このように受入部８０１内に遊技球が滞留することはないので、球詰り検出センサ４５０により遊技球が検出されることはほぼなく、あったとしても一時的な検出であり、所定時間（例えば、５秒間）継続して検出されることはないので、一時的な検出により振動発生器４１０が駆動してしまうことはない。
【０１６５】
このように振動発生器４１０が駆動して振動が発生すると、図２３（Ａ）（Ｂ）に示すように、後壁部８７１ａから排出シュート８６９全域に伝達され、さらに、排出シュート８６９に取り付けられた切替部材８７３や、排出シュート８６９に一体に形成されるベースタンク８６１や、ベースタンク８６１に対し前後移動可能に設けられた移動タンク８６２へ伝達され、これら各部材が振動する。このように排出シュート８６９、切替部材８７３、排出シュート８６９、ベースタンク８６１、移動タンク８６２が振動することにより、これら各部材に対し遊技球が揺れ動いたり跳ねたりするため、球詰りが解消されやすくなる。
【０１６６】
ここで、本実施例のアウトタンク８では、振動発生器４１０は、前述したように、プランジャ４１３の先端の拡径部４１３ａが右斜め前上方を向くように斜めに取り付けられている。
【０１６７】
受入部８０１は、支持部８０２に取り付けられたベースタンク８６１及び該ベースタンク８６１に対し前後方向に移動可能に設けられた移動タンク８６２から構成され、遊技球の受入面積を拡縮可能であるが、振動方向（プランジャ４１３の移動方向）は、ベースタンク８６１に対する移動タンク８６２の移動方向（前後方向）とは異なるため、例えば、振動方向がベースタンク８６１に対する移動タンク８６２の移動方向とほぼ同じである場合よりも、ベースタンク８６１に対して移動タンク８６２が移動しにくい。詳しくは、振動発生器４１０による振動により、ベースタンク８６１に設けられた案内板８９７のラック８９７ａと移動タンク８６２に設けられた移動規制部８８８のラック８８８ａとの係合が解除され、ベースタンク８６１に対し移動タンク８６２が前方または後方に移動して、ベースタンク８６１に対する移動タンク８６２の前後方向の位置がずれてしまうことを抑制できる。
【０１６８】
尚、特にこの場合、振動方向（プランジャ４１３の移動方向）は、ベースタンク８６１に対する移動タンク８６２の移動方向である前後方向に対し直交する左右方向や上下方向とする方が、振動によりベースタンク８６１に対する移動タンク８６２の前後方向の位置ずれを好適に抑制できる。
【０１６９】
また、受入部８０１は、支持部８０２に対し前後方向に移動可能に設けられ、該支持部８０２に対する前後位置を調整可能であるが、振動方向（プランジャ４１３の移動方向）は、支持部８０２に対する受入部８０１の移動方向（前後方向）とは異なるため、例えば、振動方向が支持部８０２に対する受入部８０１の移動方向とほぼ同じである場合よりも、支持部８０２に対して受入部８０１が移動しにくい。詳しくは、振動発生器４１０による振動により、支持部８０２に設けられた移動規制部８５６のラック８５６ａとベースタンク８６１に設けられた案内板８６７のラック８６７ａとの係合が解除され、支持部８０２に対しベースタンク８６１が前方または後方に移動して、支持部８０２に対するベースタンク８６１の前後方向の位置がずれてしまうことを抑制できる。
【０１７０】
尚、特にこの場合、振動方向（プランジャ４１３の移動方向）は、支持部８０２に対する受入部８０１の移動方向である前後方向に対し直交する左右方向や上下方向とする方が、振動により支持部８０２に対する受入部８０１の前後方向の位置ずれを好適に抑制できる。
【０１７１】
また、支持部８０２は、取付ベース８３０に対し左右方向に移動可能に設けられ、該取付ベース８３０に対する左右位置を調整可能であるが、振動方向（プランジャ４１３の移動方向）は、取付ベース８３０に対する支持部８０２の移動方向（左右方向）とは異なるため、例えば、振動方向が取付ベース８３０に対する支持部８０２の移動方向とほぼ同じである場合よりも、取付ベース８３０に対して支持部８０２が移動しにくい。詳しくは、振動発生器４１０による振動により、取付ベース８３０に設けられた円柱８３６ａと支持部８０２に設けられた移動規制部８４５との係合が解除され、取付ベース８３０に対し支持部８０２が左方または右方に移動して、取付ベース８３０に対する支持部８０２の左右方向の位置がずれてしまうことを抑制できる。
【０１７２】
尚、特にこの場合、振動方向（プランジャ４１３の移動方向）は、取付ベース８３０に対する支持部８０２の移動方向である左右方向に対し直交する前後方向や上下方向とする方が、振動により取付ベース８３０に対する支持部８０２の左右方向の位置ずれを好適に抑制できる。
【０１７３】
また、支持部８０２は、取付ベース８３０に取り付けられた外部支持脚８４０及び該外部支持脚８４０に対し上下方向に移動可能に設けられた内部支持脚８５０から構成され、外部支持脚８４０に対する内部支持脚８５０の上下位置を調整可能であるが、振動方向（プランジャ４１３の移動方向）は、外部支持脚８４０に対する内部支持脚８５０の移動方向（上下方向）とは異なるため、例えば、振動方向が外部支持脚８４０に対する内部支持脚８５０の移動方向とほぼ同じである場合よりも、外部支持脚８４０に対して内部支持脚８５０が移動しにくい。詳しくは、振動発生器４１０による振動により、外部支持脚８４０に設けられた案内孔８４６の幅広孔８４７ａと内部支持脚８５０に設けられた上下係合部８５３の係合凸部８５３ａとの係合が解除され、外部支持脚８４０に対し内部支持脚８５０が上方または下方に移動して、外部支持脚８４０に対する内部支持脚８５０の上下方向の位置がずれてしまうことを抑制できる。
【０１７４】
尚、特にこの場合、振動方向（プランジャ４１３の移動方向）は、外部支持脚８４０に対する内部支持脚８５０の移動方向である上下方向に対し直交する前後方向や左右方向とする方が、振動により外部支持脚８４０に対する内部支持脚８５０の上下方向の位置ずれを好適に抑制できる。
【０１７５】
このように本実施例のアウトタンク８は、遊技島１に設置される種々のパチンコ遊技機２の排出口１１２の配置位置に応じて、ベース部となるベース金具９００に対する受入部８０１の位置を上下、左右、前後に調整できるように、取付ベース８３０と支持部８０２、支持部８０２と受入部８０１、ベースタンク８６１と移動タンク８６２、外部支持脚８４０と内部支持脚８５０など、これら各部位同士は相対移動可能に連結されている。
【０１７６】
具体的には、ベースタンク８６１に対し移動タンク８６２が前後方向にスライド移動可能に設けられることで、ベースタンク８６１に対する移動タンク８６２の前後方向の位置を調整できるようになっており、ベースタンク８６１に設けられた案内板８９７のラック８９７ａと移動タンク８６２に設けられた移動規制部８８８のラック８８８ａとの係合により、調整した位置にて移動タンク８６２を保持できるようになっている。
【０１７７】
また、支持部８０２に対し受入部８０１が前後方向にスライド移動可能に設けられることで、支持部８０２に対する受入部８０１の前後方向の位置を調整できるようになっており、支持部８０２に設けられた移動規制部８５６のラック８５６ａとベースタンク８６１に設けられた案内板８６７のラック８６７ａとの係合により、調整した位置にて受入部８０１を保持できるようになっている。
【０１７８】
また、取付ベース８３０に対し支持部８０２が左右方向にスライド移動可能に設けられることで、取付ベース８３０に対する支持部８０２の左右方向の位置を調整できるようになっており、取付ベース８３０に設けられた円柱８３６ａと支持部８０２に設けられた移動規制部８４５との係合により、調整した位置にて支持部８０２を保持できるようになっている。
【０１７９】
また、外部支持脚８４０に対し内部支持脚８５０が上下方向にスライド移動可能に設けられることで、外部支持脚８４０に対する内部支持脚８５０の上下方向の位置を調整できるようになっており、外部支持脚８４０に設けられた案内孔８４６の幅広孔８４７ａと内部支持脚８５０に設けられた上下係合部８５３の係合凸部８５３ａとの係合により、調整した位置にて内部支持脚８５０を保持できるようになっている。
【０１８０】
また、振動発生器４１０は、プランジャ４１３が軸心方向に往復直線移動する、つまり、振動する部材であるプランジャ４１３の移動成分（ベクトル）が一次元方向を向いているため、一の方向（軸心方向）に振動を発生させることができる。そして、このプランジャ４１３の軸心は、上記取付ベース８３０、支持部８０２、受入部８０１、ベースタンク８６１、移動タンク８６２における各連結部の移動方向のいずれとも異なっているため、振動により各部材が移動しにくい。
【０１８１】
尚、本実施例では、振動発生器４１０は、上記取付ベース８３０、支持部８０２、受入部８０１、ベースタンク８６１、移動タンク８６２、外部支持脚８４０、内部支持脚８５０といった各部位の連結部の移動方向のいずれとも振動方向が異なるようにアウトタンク８に設けられていたが、本発明はこれに限定されるものではなく、少なくともいずれか一の連結部における移動方向と異なっていれば、他の連結部の移動方向と同じ方向に振動するようにしてもよい。
【０１８２】
ここで、振動発生器４１０のアウトタンク８への取り付けの変形例１〜４を、図２４〜図２７に基づいて説明する。図２４は、本発明の変形例１を示す図である。図２５は、本発明の変形例２を示す図である。図２６は、本発明の変形例３を示す図である。図２７は、本発明の変形例４を示す図である。
【０１８３】
図２４に示すように、アウトタンク８は、支持部８０２に対する受入部８０１の移動方向と、ベースタンク８６１に対する移動タンク８６２の移動方向とは同じ前後方向であるため、振動方向が前後方向とならないように、プランジャ４１３を左右方向に向けて水平をなすように振動発生器４１０を設置し、左右方向に振動するようにしてもよい。この場合、振動方向は取付ベース８３０に対する支持部８０２の移動方向と同じになるが、振動により受入部８０１及び移動タンク８６２双方が動いてしまうことを抑制できる。また、プランジャ４１３を上下方向に向けて垂直をなすように設置し、上下方向に振動するようにしてもよい。この場合、振動方向は外部支持脚８４０に対する内部支持脚８５０の移動方向と同じになるが、受入部８０１及び移動タンク８６２双方が動いてしまうことを抑制できる。
【０１８４】
また、図２５に示すように、プランジャ４１３を斜め左右方向に向けて水平をなすように振動発生器４１０を設置し、斜め左右方向に振動するようにしてもよい。この場合、振動方向は取付ベース８３０に対する支持部８０２の移動方向とも異なるため、取付ベース８３０に対する支持部８０２の移動も抑制される。
【０１８５】
図２６に示すように、アウトタンク８は、取付ベース８３０に対する支持部８０２の移動方向は左右方向であるため、振動方向が左右方向とならないように、プランジャ４１３を前後方向に向けて水平をなすように振動発生器４１０を設置し、前後方向に振動するようにしてもよい。この場合、振動方向は受入部８０１及び移動タンク８６２の移動方向と同じになるが、取付ベース８３０に対し支持部８０２が動いてしまうことを抑制できる。
【０１８６】
図２７に示すように、アウトタンク８は、外部支持脚８４０に対する内部支持脚８５０の移動方向は上下方向であるため、振動方向が上下方向とならないように、プランジャ４１３を左右斜め方向に向けて水平をなすように振動発生器４１０を設置し、左右斜め方向に振動するようにしてもよい。この場合、振動方向は受入部８０１、移動タンク８６２、支持部８０２の移動方向のいずれとも同じにならないため、外部支持脚８４０に対し内部支持脚８５０が動いてしまうことを抑制できる。
【０１８７】
また、前記実施例のアウトタンク８は、ベースタンク８６１に対し移動タンク８６２が前後方向に移動可能であり、支持部８０２に対し受入部８０１が前後方向に移動可能であり、取付ベース８３０に対し支持部８０２が左右方向に移動可能であり、外部支持脚８４０に対し内部支持脚８５０が上下方向に移動可能であったが、本発明はこれに限定されるものではなく、これらベースタンク８６１と移動タンク８６２との連結部、支持部８０２と受入部８０１との連結部、取付ベース８３０と支持部８０２との連結部、外部支持脚８４０と内部支持脚８５０との連結部のうち少なくともいずれかが移動可能に設けられていれば、他の連結部は各部位同士が相対移動可能に連結されていなくてもよい。
【０１８８】
そしてこのような場合、各部位同士が相対移動可能に連結されている連結部における各部位の移動方向と振動発生器４１０の振動方向とが異なるように該振動発生器４１０が設けられていればよい。
【０１８９】
また、前記実施例では、ベースタンク８６１に対し移動タンク８６２が前後方向に移動可能であったが、本発明はこれに限定されるものではなく、ベースタンク８６１に対し移動タンク８６２が左右方向に移動可能に連結されていてもよい。また、支持部８０２に対し受入部８０１が前後方向に移動可能であったが、本発明はこれに限定されるものではなく、支持部８０２に対し受入部８０１が左右方向または上下方向に移動可能に連結されていてもよい。また、取付ベース８３０に対し支持部８０２が左右方向に移動可能であったが、本発明はこれに限定されるものではなく、取付ベース８３０に対し支持部８０２が上下方向または前後方向に移動可能に連結されていてもよい。また、外部支持脚８４０に対し内部支持脚８５０が上下方向に移動可能であったが、本発明はこれに限定されるものではなく、外部支持脚８４０に対し内部支持脚８５０が左右方向または前後方向に移動可能に連結されていてもよい。すなわち、各連結部における各部位の移動方向は任意であり、前記実施例に記載の方向に限定されるものではない。
【０１９０】
次に、本発明が適用された遊技システムの構成について、図２８及び図２９に基づいて説明する。図２８は、本発明の実施例における遊技システムの構成を示すシステム構成図である。図２９は、台端末に入力される各信号の入力形態を示す図である。
【０１９１】
図２８に示すように、遊技システムは、遊技場において複数配置された遊技島に並設される遊技機であるカードリーダ（ＣＲ）式パチンコ遊技機２と、該パチンコ遊技機２に対して１対１に対応設置されるプリペイドカードであるビジターカードまたはプリペイドカード機能を有する会員カードを、遊技媒体である遊技球の貸出しや貯球の再使用（再プレイ）に使用可能とするためのカードユニット２０３と、各パチンコ遊技機２の遊技関連情報や各パチンコ遊技機２への遊技球の供給情報等の各種情報が入力される台端末２０５、該台端末２０５に入力された遊技関連情報等の各情報を、接続されている各台端末２０５から更に収集する各遊技島毎に設置された島端末２０６と、各島端末２０６にて収集された当該遊技場に設置されている各パチンコ遊技機２の情報を受信し、該受信した各パチンコ遊技機２の情報に基づいて各パチンコ遊技機２における遊技状態や賞球数や打込球数等や、始動回数や大当り回数、確変回数、大当り履歴等の各パチンコ遊技機２に関する情報を管理するホールコンピュータ２４０とから主に構成されている。
【０１９２】
本実施例のパチンコ遊技機２と台端末２０５とは、図２８及び図２９に示すように信号ケーブル２０９を介して接続されており、各台端末２０５はさらに通信ケーブル２１０を介して島端末２０６と接続されており、これら台端末２０５と島端末２０６とは簡易ローカルエリアネットワークにより双方向にデータ通信可能とされていて、島端末２０６からのデータ出力指示に基づいて、台端末２０５が各パチンコ遊技機２等から出力される後述する各種の信号の入力により収集した遊技関連情報を含むデータを送信するようになっている。
【０１９３】
更に、これら各島端末２０６はハブ２０７を介して通信ケーブル２０８にてホールコンピュータ２４０に接続されていて、島端末２０６とホールコンピュータ２４０とが、比較的高速のデータ通信可能なローカルエリアネットワークにより双方向にデータ通信可能とされていて、島端末２０６にて各台端末２０５から収集された各パチンコ遊技機２から収集した遊技関連情報を含むデータがまとめられて、ホールコンピュータ２４０に所定時間毎に送信されることで、該ホールコンピュータ２４０が各パチンコ遊技機２に関する情報を収集して集中管理できるようになっている。
【０１９４】
図２９に示すように、パチンコ遊技機２には、カードユニット２０３において記録媒体としてのビジターカードまたは会員カードより読み出された度数が表示される度数表示部２１７と、持球が少なくなったか或いは無くなった際に押圧操作されることで度数表示部２１７に度数（プリペイド残額の１００円を１単位とする値）が存在する場合に所定数量の遊技球の貸出がパチンコ遊技機２より実施される貸出ボタンスイッチ２１６と、遊技の終了時にてカードユニット２０３に受付中のビジターカードまたは会員カードを返却させるための返却ボタンスイッチ２１５と、が設けられている。
【０１９５】
また、パチンコ遊技機２には、識別情報の変動表示が行われる可変表示部（図示略）の表示制御を行う表示制御基板２８０と、遊技球を遊技領域（図示略）に発射する打球発射装置の制御を行う発射制御基板２９１と、球タンク６（図３参照）に供給された遊技球の払出を実施する球払出装置９７に接続され、主基板３１から出力される賞球信号並びにカードユニット２０３より入出力される貸与信号に基づき遊技球の払出制御を行うとともに、球払出装置９７から払い出された賞球数の情報（賞球信号）を出力する賞球制御基板２３７と、遊技効果ランプ等の制御を実施するランプ制御基板２３５と、スピーカから出力される音声の出力制御を行う音声制御基板２７０と、大当り状態中であることを示す大当り信号１や、大当り状態或いは確率変動状態或いは時短状態のいずれかの状態であることを示す大当り信号２とともに、可変表示部（図示略）における可変表示の表示が確定したことを示すスタート信号（始動信号）並びに賞球信号（中継）を、所定の信号形態にて出力する情報出力基板２９８と、これら各部の制御や前述の各種の抽選等を実施する主基板３１とが設けられており、これらは図２９に示すように接続され、払い出された遊技球を使用して遊技を実施できるようになっている。
【０１９６】
本実施例のカードユニット２０３は、図２９に示すように、投入された紙幣を取り込んでその真贋や紙幣種別の識別を実施し、その識別結果を装置略中央部に設けられている制御ユニット３２８に出力する紙幣識別ユニット３２１と、挿入されたビジターカードや会員カードの読み出し並びに書き込みを行うカードリーダライタ３２７と、表示制御基板３２９と、カードユニット２０３の各部の制御を制御プログラムにより実施して該カードユニット２０３の各種の機能を提供する制御ユニット３２８と、から主に構成されており、紙幣識別ユニット３２１、カードリーダライタ３２７及び表示制御基板３２９は制御ユニット３２８と接続されて各種データの送受が可能とされている。制御ユニット３２８は、紙幣識別ユニット３２１にて受付けた各種紙幣（１万円、５千円、２千円、千円の各紙幣）から識別された金額を受付け中のビジターカード或いは会員カードのプリペイド残額に加算更新する入金処理が可能とされている。
【０１９７】
また、賞球制御基板２３７は、信号ケーブル２０９の一部を通じて台端末２０５に接続されていて、球払出装置９７から払い出された賞球数が所定球数毎（例えば１０個毎）に達する毎に所定時間幅のパルスとして賞球信号を該台端末２０５に出力するとともに、カードユニット２０３内に設けられている制御ユニット３２８にフラットケーブル（ＦＫ）を通じて、インターフェイス基板２３７’を介して接続されており、台端末貸出完了信号（ＥＸＳ）や台ＲＥＡＤＹ信号（ＰＲＤＹ）がカードユニット２０３の制御ユニット３２８に出力するようになっているとともに、該制御ユニット３２８より出力される本発明の貸与信号となるカードユニットＲＥＡＤＹ信号（ＢＲＤＹ）や台端末貸出要求完了確認信号（ＢＲＱ）が入力されるようになっていて、これらの信号の授受に基づいて、該賞球制御基板２３７が球払出装置９７からの遊技球の払い出しを実施することで、該カードユニット２０３のカードリーダライタ３２７に受付け中のビジターカードまたは会員カードに記録されているプリペイド残額に応じた度数を使用した遊技球の貸出が、パチンコ遊技機２において実施されるようになっている。
【０１９８】
また、情報出力基板２９８は、信号ケーブル２０９を介して台端末２０５に接続されており、該情報出力基板２９８からは、図２９に示すように大当り発生中において継続して出力される大当り信号１や、大当り状態中或いは時短状態中或いは確率変動状態中のいずれかの状態中において継続して出力される大当り信号２や、特別可変表示部（図示略）における特別図柄の停止表示時に所定時間幅のパルスとして出力されるスタート信号（始動信号）が出力され、これら各信号が信号ケーブル２０９を介して台端末２０５に入力される。
【０１９９】
これら信号ケーブル２０９の一部は、該パチンコ遊技機２において遊技に使用されたアウト球を計数するためにアウトタンク８に設けられている球計数器８２６（図２参照）にも接続されており、該球計数器８２６において所定球数（本実施例では１０球）のアウト球（打込球）数が計数される毎に所定時間幅のパルスとして出力されるアウト球計数信号が台端末２０５に入力されるようになっている。
【０２００】
また、信号ケーブル２０９の一部は、アウトタンク８に設けられている球詰り検出センサ４５０にも接続されており、該球詰り検出センサ４５０が遊技球を検出したとき、球詰り信号が台端末２０５に入力されるようになっている。また、信号ケーブル２０９の一部は、アウトタンク８に設けられている振動発生器４１０にも接続されており、該球詰り信号を受信したことに基づいて、台端末２０５から振動信号が振動発生器４１０に出力されるようになっている。
【０２０１】
更に、信号ケーブル２０９の一部は、カードユニット２０３にも接続されており、該カードユニット２０３において後述する貸出処理が実施されて、対応するパチンコ遊技機２に上述した、図４に示すように、カードユニットＲＥＡＤＹ信号（ＢＲＤＹ）や台端末貸出要求完了確認信号（ＢＲＱ）が出力されるのに伴って、貸出しされる度数分に相当するパルス数（ＢＲＱ数と同数）から成る球貸信号や、後述する再プレイ処理が実施されて、対応するパチンコ遊技機２に上述した、図４に示すように、カードユニットＲＥＡＤＹ信号（ＢＲＤＹ）や台端末貸出要求完了確認信号（ＢＲＱ）が出力されるのに伴って、払出される遊技球が相当する度数分のパルス数（ＢＲＱ数と同数）から成る再プレイ（遊技）信号が台端末２０５に入力されるようになっている。
【０２０２】
ホールコンピュータ２４０は、受信した送信データ列に含まれる各パチンコ遊技機２から収集した各遊技関連情報に基づいて、各パチンコ遊技機２における遊技状態の判定処理や、遊技関連情報テーブルの記憶データを更新する処理や、これら各情報テーブルのデータを表示する表示処理等を実施するＣＰＵ（図示略）、ワークメモリ等として使用されるＲＡＭ（図示略）、時刻情報やカレンダ情報を出力する（図示略）、磁気ディスクや光磁気ディスクから成る記憶装置（図示略）、後述する不正検出設定画面における設定対象台の選択受付けや補給種別の入力の受付け等を行うためのキーボードやマウス等の入力装置（図示略）、各情報テーブルのデータを表示出力するとともに、警告表示を行うための表示装置（図示略）や、各情報テーブルのデータを印刷出力するためのプリンタ（図示略）、各島端末２０６とのデータ通信を行う通信部（図示略）、が接続された通常のコンピュータである。
【０２０３】
台端末２０５は、例えば４台のパチンコ遊技機２に対して１台の台端末２０５が配置され、該４台のパチンコ遊技機２並びにカードユニット２０３等から出力される各信号を１台の台端末２０５にて収集し、該収集した４台のパチンコ遊技機２に関する送信データを島端末２０６に送信するようになっている。
【０２０４】
また、これら島端末２０６には最大で４４台の台端末２０５が接続可能とされていて、１台の島端末２０６にて、４４（収集ユニット）×４（各台端末２０５に接続可能なパチンコ遊技機２の台数）＝１７６台のパチンコ遊技機２の情報を所定期間毎（本実施例では約１０秒に１回）に収集してホールコンピュータ２４０に送信するようになっており、ハブ２０７には最大１０台の島端末２０６が接続可能とされていて、システム全体の総合計として１７６×１０＝１７６０台のパチンコ遊技機２の情報を収集、管理できるようになっている。
【０２０５】
台端末２０５には、パチンコ遊技機２から出力される大当り１信号、大当り２信号、スタート（始動）信号、球計数器８２６から出力されるアウト球計数信号、アウトタンク８に設けられた球詰り検出センサ４５０から出力される球詰り信号、カードユニット２０３から出力される球貸信号や再プレイ信号が入力され、各信号の入力が検出されて信号検出に応じた出力が制御マイコン（ＭＰＵ）に出力されるようになっている。
【０２０６】
尚、ＲＡＭ（図示略）に記憶されている遊技関連情報テーブルには、各パチンコ遊技機２毎に、当日の営業開始時からの貸出球数、再プレイ球数、賞球数、打込球数、始動回数、大当り回数、確変回数等の各データが集計されており、これらのデータがホールコンピュータ２４０に送信される。
【０２０７】
本実施例では、台端末２０５の制御マイコン（ＭＰＵ）は、アウトタンク８の球詰り検出センサ４５０から出力される球詰り信号が入力されたときに計時を開始して、該球詰り信号が第１期間（例えば、５秒間）継続して入力されるか否かを監視する。そして、第１期間（例えば、５秒間）継続して球詰り信号の入力があったと判定した場合、球詰りが発生したとして、球詰り信号の出力先のアウトタンク８の振動発生器４１０を駆動させる。尚、球詰り信号の入力があったが第１期間（例えば、５秒間）継続しない場合、球詰りは発生していないとする。
【０２０８】
また、振動発生器４１０を駆動させた後は、球詰り信号の入力が途絶えたときに計時を開始して、球詰り信号の入力がない状態が第２期間（例えば、１０秒間）継続するか否かを監視する。そして、球詰り信号の入力がない状態が第２期間（例えば、１０秒間）継続したと判定した場合、球詰りが解消したとして、対応する振動発生器４１０の駆動を停止させる。尚、第１期間及び第２期間の長さは任意であり、種々に変更可能である。また、第１期間と第２期間とは長さが同じ期間であってもよい。
【０２０９】
以上説明したように、本発明の実施例としてのアウトタンク８は、パチンコ遊技機２から排出される遊技球を回収するためのアウトタンク８であって、パチンコ遊技機２から排出される遊技球を受け入れる受入部８０１と、受入部８０１にて受け入れた遊技球を排出する排出部としての排出口８０３と、受入部８０１を支持する支持部８０２と、支持部８０２を所定のベース部としてのベース金具９００に取り付けるための取付部としての取付ベース８３０と、アウトタンク８を振動させるための振動手段としての振動発生装置４００の振動発生器４１０及び台端末２０５の制御マイコン（ＭＰＵ）と、を備えている。
【０２１０】
そして、受入部８０１は、支持部８０２に取り付けられた第１受入部としてのベースタンク８６１及び該ベースタンク８６１に対し前後方向に移動可能に設けられた第２受入部としての移動タンク８６２から構成され、遊技球の受入面積を拡縮可能であり、振動発生器４１０は、アウトタンク８を少なくとも一の方向（例えば、プランジャ４１３の軸心方向）に振動させるものであり、プランジャ４１３の先端の拡径部４１３ａが右斜め前上方を向くように斜めに取り付けられており、振動方向（プランジャ４１３の移動方向）は、ベースタンク８６１に対する移動タンク８６２の移動方向（前後方向）とは異なる。
【０２１１】
このようにすることで、受入部８０１にて受け入れた遊技球が排出口８０３から排出されるまでの間で詰まっても、振動発生器４１０によりアウトタンク８を振動させることで詰まりを解消することができる。また、振動発生器４１０による振動方向がベースタンク８６１に対する移動タンク８６２の移動方向（前後方向）と異なることで、該振動によりベースタンク８６１に対し移動タンク８６２が移動したり外れたりすることを抑制できる。
【０２１２】
また、受入部８０１は、支持部８０２に対し前後方向に移動可能に設けられ、該支持部８０２に対する前後位置を調整可能であり、振動発生器４１０は、アウトタンク８を少なくとも一の方向（例えば、プランジャ４１３の軸心方向）に振動させるものであり、プランジャ４１３の先端の拡径部４１３ａが右斜め前上方を向くように斜めに取り付けられており、振動方向（プランジャ４１３の移動方向）は、支持部８０２に対する受入部８０１の移動方向（前後方向）とは異なる。
【０２１３】
このようにすることで、受入部８０１にて受け入れた遊技球が排出口８０３から排出されるまでの間で詰まっても、振動発生器４１０によりアウトタンク８を振動させることで詰まりを解消することができる。また、振動発生器４１０による振動方向が支持部８０２に対する受入部８０１の移動方向（前後方向）と異なることで、該振動により支持部８０２に対し受入部８０１が移動したり外れたりすることを抑制できる。
【０２１４】
また、支持部８０２は、取付ベース８３０に対し左右方向に移動可能に設けられ、該取付ベース８３０に対する左右位置を調整可能であり、振動発生器４１０は、アウトタンク８を少なくとも一の方向（例えば、プランジャ４１３の軸心方向）に振動させるものであり、プランジャ４１３の先端の拡径部４１３ａが右斜め前上方を向くように斜めに取り付けられており、振動方向（プランジャ４１３の移動方向）は、取付ベース８３０に対する支持部８０２の移動方向（左右方向）とは異なる。
【０２１５】
このようにすることで、受入部８０１にて受け入れた遊技球が排出口８０３から排出されるまでの間で詰まっても、振動発生器４１０によりアウトタンク８を振動させることで詰まりを解消することができる。また、振動発生器４１０による振動方向が取付ベース８３０に対する支持部８０２の移動方向と異なることで、該振動により取付ベース８３０に対し支持部８０２が移動したり外れたりすることを抑制できる。
【０２１６】
支持部８０２は、取付ベース８３０に取り付けられた外部支持脚８４０及び該外部支持脚８４０に対し上下方向に移動可能に設けられた内部支持脚８５０から構成され、外部支持脚８４０に対する内部支持脚８５０の上下位置を調整可能であり、振動発生器４１０は、アウトタンク８を少なくとも一の方向（例えば、プランジャ４１３の軸心方向）に振動させるものであり、プランジャ４１３の先端の拡径部４１３ａが右斜め前上方を向くように斜めに取り付けられており、振動方向（プランジャ４１３の移動方向）は、外部支持脚８４０に対する内部支持脚８５０の移動方向（上下方向）とは異なる。
【０２１７】
このようにすることで、受入部８０１にて受け入れた遊技球が排出口８０３から排出されるまでの間で詰まっても、振動発生器４１０によりアウトタンク８を振動させることで詰まりを解消することができる。また、振動発生器４１０による振動方向が外部支持脚８４０に対する内部支持脚８５０の移動方向と異なることで、該振動により外部支持脚８４０に対し内部支持脚８５０が移動したり外れたりすることを抑制できる。
【０２１８】
また、前記実施例では、振動方向は斜め上方を向いていたが、振動方向は極力、上下方向ではなく、水平方向に近づけることが好ましい。このようにすることで、受入部８０１を上下方向に振動させた場合、パチンコ遊技機２から排出され受入部８０１に落下した遊技球が上下方向の振動により大きく飛び跳ねて飛散してしまう虞があるが、極力水平方向に振動させるようにすれば、受入部８０１に落下した遊技球の飛散を抑制することが可能となる。
【０２１９】
また、前記実施例では、振動発生器４１０はベースタンク８６１における排出シュート８６９に設けられていたため、受入部８０１が強く振動して落下した遊技球が大きく跳ねるなどの影響を受けにくいようになっていたが、本発明はこれに限定されるものではなく、振動発生器４１０の配設箇所は種々に変更可能であり、受入部８０１、移動タンク８６２、支持部８０２、取付ベース８３０等のいずれかに設けてもよい。さらに、１つだけでなく、複数の振動発生器４１０を複数個所に配設するようにしてもよい。
【０２２０】
また、振動発生器４１０は、第１受入部としてのベースタンク８６１に設けられていることで、アウトタンク８を構成するベースタンク８６１、移動タンク８６２、支持部８０２、取付ベース８３０のうち末端部分であるベースタンク８６１や取付ベース８３０を振動させる場合に比べて、ベースタンク８６１や取付ベース８３０が振動により移動したり外れたりしにくくなる。
【０２２１】
具体的には、移動タンク８６２はベースタンク８６１以外の部位に連結されておらず、また、取付ベース８３０は支持部８０２以外の部位に連結されていない。つまり、互いに連結された複数の部位のうち一の部位にしか連結されていない部位であり、ベースタンク８６１と取付ベース８３０に連結されている支持部８０２や、移動タンク８６２と支持部８０２に連結されているベースタンク８６１とは異なる部位である。このように、一の部位にしか連結されていない末端の部位に振動発生器４１０を設けると、振動による振幅が大きくなりやすいばかりか、他方の末端の部位まで振動が伝達されにくくなるため、互いに連結された３以上の部位からなる場合、２以上の部位に連結されている部位に振動発生器４１０を設けることが好ましく、このようにすることで、振動により連結が解除されやすくなったり、振動が偏った部位にしか伝達されなくなることを抑制できるため、振動をアウトタンク８全体に略均一に伝達させることができる。
【０２２２】
また、前記実施例では、振動発生手段の一例としてソレノイドが適用されていたが、本発明はこれに限定されるものではなく、例えば、エアークッション内蔵ピストンの往復運度からリニア振動を発生させることが可能なピストンバイブレータや、モータの出力軸に重心を偏らせた重りを取り付けて回転させることで振動を発生させるバイブレータや、ケーシング内をボールベアリングやローラ等が摺動することにより高速振動を発生するバイブレータ等を適用してもよい。尚、これらのうちピストンバイブレータ以外のバイブレータは、一の面方向（例えば、前後・左右方向）に振動するものであるため、所定の部位の移動方向（例えば、上下方向）に対し該一の面が交差するように設置すればよい。
【０２２３】
また、前記実施例では、プランジャ４１３はアウトタンク８の所定箇所に非接触状態で往復移動することで振動を発生させるものであったが、アウトタンク８の所定箇所に衝突可能に設けることにより振動を発生させるものでもよい。
【０２２４】
また、振動発生器における振動部材の往復移動量、移動速度、重さ、振動周期等は種々に変更可能であり、設置箇所や振動発生器の出力等に応じて設定することが好ましい。
【０２２５】
また、前記実施例では、振動発生手段の一例として、振動する部材であるプランジャは１次元方向にのみ移動可能であったが、本発明はこれに限定されるものではなく、偏心モータのように一の面上を前後左右に揺動するものを適用してもよい。つまり、振動方向が複数のうちいずれかの連結部における各部位の移動方向と異なっていれば、振動方向は前後・左右のように複数方向とされていてもよい。尚、一の方向とは、前方、後方、左方、右方、上方、下方のいずれかに限定されるものではなく、遊技機の上下方向、左右方向、前後方向、斜め上下方向、斜め左右方向、斜め前後方向のように往復移動方向である。
【０２２６】
また前記実施例では、受入部８０１に遊技球が滞留していることを検知する検出センサ４５０を備え、台端末２０５の制御マイコン（ＭＰＵ）は、アウトタンク８の球詰り検出センサ４５０から出力される球詰り信号が入力されたときに計時を開始して、該球詰り信号が第１期間（例えば、５秒間）継続して入力されるか否かを監視する。そして、第１期間（例えば、５秒間）継続して球詰り信号の入力があったと判定した場合、球詰りが発生したとして、球詰り信号の出力先のアウトタンク８の振動発生器４１０を駆動させる。このようにすることで、球詰りが発生したことに基づいて、アウトタンク８を適宜に振動させることができるため、球詰りが発生していないときに振動させて受入部８０１に落下した遊技球が飛散すること等を極力防止できる。
【０２２７】
また、前記実施例の台端末２０５の制御マイコン（ＭＰＵ）は、各パチンコ遊技機２から出力される大当り１信号、大当り２信号、スタート（始動）信号、賞球信号等の遊技関連情報の受信に基づいて、各パチンコ遊技機２にて遊技が実施されているか否かを判定する。つまり、これら大当り１信号、大当り２信号、スタート（始動）信号、賞球信号等の遊技関連情報は、パチンコ遊技機２にて遊技が実施されている場合にのみパチンコ遊技機２から出力される情報であるため、制御マイコン（ＭＰＵ）は、これらのうちいずれかの信号入力がある場合に遊技が実施されていると判定する。
【０２２８】
また、遊技関連情報は、上記した大当り１信号、大当り２信号、スタート（始動）信号、賞球信号に限定されるものではなく、例えばパチンコ遊技機２に補給される補給球数信号や球貸信号や再プレイ信号等、遊技に間接的に関連する情報を含むようにしてもよい。
【０２２９】
また、前記実施例では、台端末の制御マイコン（ＭＰＵ）は、受入部８０１に遊技球が滞留していること、つまり、球詰り検出センサ４５０にて遊技球が検出されたことに基づいて、対応するアウトタンク８の振動発生器４１０を駆動させるようになっているが、本発明はこれに限定されるものではなく、所定期間が経過するまでにパチンコ遊技機２から遊技者に払出されたアウト球数とパチンコ遊技機２から遊技者に払い出された払出球数である賞球数との差数が所定の閾値以上変化したことに基づいて、振動発生器４１０を駆動させてアウトタンク８を振動させるようにしてもよい。
【０２３０】
具体的には、台端末の制御マイコン（ＭＰＵ）は、所定期間（例えば、１分間）が経過するまでにアウト球数と賞球数との差球数が所定の閾値以上変化したか否かを判定し、該所定の閾値以上変化したと判定したことに基づいて、振動発生器４１０を駆動させてアウトタンク８を振動させるようにしてもよい。
【０２３１】
以下、これら台端末２０５が実施する割込処理の内容について、図３０のフローチャートに基づいて説明する。
【０２３２】
台端末の制御マイコン（ＭＰＵ）は、各ポートへの信号入力を監視しており、遊技関連情報としての大当り１信号、大当り２信号、スタート（始動）信号のいずれかの入力があるか否かを判定し（ステップＳＷ１）、入力があった場合には割込処理を実施する（ステップＳＷ２）。次いで、入力された信号の種別を特定するとともに、（ステップＳＷ３）、特定した種別の信号に基づいてＲＡＭ（図示略）に記憶されている遊技関連情報テーブルを更新する（ステップＳＷ４）。
【０２３３】
そして、差球比較タイマが動作中であるか否かを確認し（ステップＳＷ５）、動作中でなければ、差球比較タイマをセット（例えば１分）するとともに、その時点のアウト球数から賞球数を減算した値である差球数を計数して記憶する（ステップＳＷ６）。また、ステップＳＷ５において差球比較タイマが動作中である場合には、処理を終了する。
【０２３４】
ステップＳＷ１において、いずれかの信号の入力もない場合は、差球比較タイマがタイムアップしたか否かを確認し（ステップＳＶ１）、タイムアップの場合には割込処理を実施する（ステップＳＶ２）。次いで、既に記憶されている差球数とその時点の差球数とを比較し（ステップＳＶ３）、予め定められた判定用閾値（例えば、５０球）以上の変化があるか否かを判定する（ステップＳＶ４）。具体的には、その時点の差球数から既に記憶されている差球数を減算した減算値が５０以上であるか否かを判定する。
【０２３５】
そして、変化があった場合、つまり減算値が５０以上である場合、アウトタンク８にて球詰りが発生した可能性があると判定して、振動発生器４１０を駆動させ（ステップＳＶ５）、ＲＡＭに記憶されている差球数をクリアし（ステップＳＶ６）、処理を終了する。
【０２３６】
一方、変化がない場合、つまり減算値が５０未満である場合、アウトタンク８にて球詰りは発生していないとして、ＲＡＭに記憶されている差球数をクリアし（ステップＳＶ６）、処理を終了する。
【０２３７】
次に、図３０に示す台端末２０５が実施する割込処理に基づく振動発生器４１０の駆動状況の一例を、図３１に基づいて説明する。図３１は、（Ａ）は大当りの発生に基づいて振動が開始される例を示すタイミングチャート、（Ｂ）は球詰りの発生に基づいて振動が開始される例を示すタイミングチャートである。尚、図３１（Ａ）（Ｂ）において、横軸は時間（分）、縦軸はアウト球数を示している。
【０２３８】
図３１（Ａ）に示すように、遊技者が遊技を開始すると、前述したように１分間に約１００球の遊技球が打ち出されるが、途中、保留記憶数が上限値に達したり、リーチが発生するなどして打ち出しを止めたりすること等があるため、通常遊技状態における１分間あたりのアウト球数は約１００球以下となる。一方、入賞率等にもよるが、通常遊技状態における１分間あたりの賞球数は平均して約３０球程度となる。よって、通常遊技状態での１分間あたりの差球は平均して約７０球前後である。
【０２３９】
ここで、例えば、大当り遊技状態や時短状態などが発生すると、通常遊技状態に比べて１分間あたりの賞球数が増加するため、アウト球数と賞球数との差球数も増加する。具体的には、例えば、遊技を開始してから３１分が経過した後に大当りが発生した場合、その後の３２分が経過した時点の差球数Ａは約５０球であるのに対し、３３分が経過した時点の差球数Ｂは約９００球となる。よって、３３分が経過した時点の差球数Ｂ（１０００球）から既に記憶されている３２分が経過した時点の差球数Ａ（５０球）を減算した減算値は９５０球、つまり、５０以上である。よって、台端末の制御マイコン（ＭＰＵ）は、１分間において差球数に予め定められた判定用閾値（例えば、５０球）以上の変化があったとして、振動発生器４１０を駆動する。
【０２４０】
図３１（Ｂ）に示すように、例えば、アウトタンク８において球詰りが発生すると、球詰りが発生していない状況に比べて１分間あたりのアウト球数が減少する。つまり、遊技者は遊技領域に遊技球を打ち込んで遊技を実行し、該パチンコ遊技機２の排出口１１２から遊技球が排出されアウトタンク８に落下しているにもかかわらず、球詰りにより球計数器８２６により遊技球が計数されない状態となっていたり、アウトタンク８がベース金具９００からはずれたりしているなどの原因が考えられる。このような場合、アウト球数と賞球数との差球数も減少する。具体的には、例えば、遊技を開始してから５１分が経過した後に球詰りが発生した場合、その後の５２分が経過した時点の差球数Ｃは約７０球であるのに対し、５３分が経過した時点の差球は約１０球となる。よって、既に記憶されている５２分が経過した時点の差球数Ｃ（７０球）から５３分が経過した時点の差球数Ｄ（１０球）を減算した減算値は６０球、つまり、５０以上である。よって、台端末の制御マイコン（ＭＰＵ）は、１分間において差球数に予め定められた判定用閾値（例えば、５０球）以上の変化があったとして、振動発生器４１０を駆動する。
【０２４１】
このようにすることで、遊技者により対応するパチンコ遊技機２において遊技が行われているときであって、かつ、大当りや球詰りが発生するなど、何らかの変化が生じたときにアウトタンク８を適宜振動させることができるため、球詰りを未然に防ぐことができるばかりか、遊技者により対応するパチンコ遊技機２において遊技が行われていないときに無駄に振動を発生させることを回避できる。
【０２４２】
尚、振動発生器４１０の駆動停止条件は、１分間において差球数に予め定められた判定用閾値（例えば、５０球）以上の変化がないと判定するまでとしてもよいし、予め定められた時間（例えば、１分）が経過したときに停止するようにしても良い。
【０２４３】
また、台端末２０５の制御マイコン（ＭＰＵ）は、大当り１信号、大当り２信号、スタート（始動）信号、賞球信号等の遊技関連情報のいずれかを受信したとき、アウト球比較タイマをセットするとともに、その時点でのアウト球数を記憶した後、所定期間（例えば１分間）が経過するまでにアウト球数が所定の閾値以上変化するか否かを確認し、変化がないと判定した場合、所定のパチンコ遊技機２にて遊技が行われているにも関わらず、アウト球が球計数器８２６にて計数されていない可能性がある、つまりアウト球が正常に受入部８０１に落下されていないとして、アウト球エラー信号を島端末２０６を介してホールコンピュータ１４０に出力するアウト球エラー処理を行うようにしてもよい。
【０２４４】
島端末２０６を介してアウト球エラー信号を受信したホールコンピュータ１４０は、アウト球エラー信号を出力した台端末２０５およびパチンコ遊技機２を特定し、特定したパチンコ遊技機２においてアウト球計の計数に何らかの不具合が生じている旨を報知する。
【０２４５】
このように、パチンコ遊技機２における遊技の実施状況と、該パチンコ遊技機２にて遊技が実施されているときのアウト球数の計数状況とを監視することで、パチンコ遊技機２にて遊技が実施されているにも関わらず、パチンコ遊技機２から排出された遊技球数が球計数器８２６にて計数されていない場合、つまり、図２９に示すように受入部８０１が支持部８０２から外れるなどして、アウトタンク８が遊技球を正常に受入できない状況になったときにエラー報知が行われることで、アウト球の計数エラーが生じている可能性があることを早期に発見することができる。
【０２４６】
尚、台端末２０５、島端末２０６、ホールコンピュータ２４０にてアウト球数エラーが生じた旨を報知するようにしてもよいし、また、これらの報知を、例えば、台端末２０５から各パチンコ遊技機２に対応して設けられているカードユニット２０３に対してエラー信号を出力して報知を実施したり、或いは、各パチンコ遊技機２に対応して設けられている呼び出しランプを台端末２０５に接続し、該呼び出しランプにエラー信号を出力して報知を実施するようにしても良い。
【０２４７】
また、上記変形例では、判定用閾値をホールコンピュータ２４０において設定変更できるようにしてもよい。尚、これら判定用閾値を設定変更できない、一律のものであっても良い。また、これら判定用閾値の設定変更を、台端末２０５や島端末２０６において、実施するようにしても良い。
【０２４８】
また、上記変形例では、１分間において差球数が所定の閾値以上変化したことに基づいて振動発生器４１０を駆動してアウトタンク８を振動させるようにしているが、本発明はこれに限定されるものではなく、パチンコ遊技機２から遊技者に払出された賞球数や貸出球数と排出口８０３から排出されたアウト球数との差球数が所定数（例えば、５００球）となったことまたは所定数（例えば、５００球）を超えたことに基づいて振動発生器４１０を駆動してアウトタンク８を振動させるようにしてもよい。
【０２４９】
例えば、台端末２０５の制御マイコン（ＭＰＵ）は、所定期間（例えば、１分間）が経過するまでにパチンコ遊技機２から遊技者に払出された賞球数や貸出球数と排出口８０３から排出されたアウト球数との差球数が所定数（例えば、５００球）となったことまたは所定数（例えば、５００球）を超えたか否かを判定し、差球数が所定数となったまたは所定数を超えたと判定したことに基づいて、振動発生器４１０を駆動してアウトタンク８を振動させる制御を行うようにしてもよい。
【０２５０】
このようにすることで、球詰りが発生したか否かに関わらず、遊技者が遊技を実行したことを契機として適宜振動が開始されるため、球詰りを未然に防ぐことができるばかりか、遊技者により対応するパチンコ遊技機２において遊技が行われていないときに無駄に振動を発生させることを回避できる。
【０２５１】
また、パチンコ遊技機２は、信号ケーブル２０９の一部を通じて台端末２０５に接続されていて、球払出装置９７から払い出された賞球数が所定球数毎（例えば１０個毎）に達する毎に所定時間幅のパルスとして賞球信号を該台端末２０５に出力する賞球制御基板２３７を備えているもの等において、アウトタンク８に、排出口８０３から排出されたアウト球数と、賞球信号の入力に基づいて、パチンコ遊技機２から遊技者に払出された賞球数と、を計数する制御部が設けられたアウトタンク制御基板を搭載し、該制御部が、賞球数とアウト球数とが所定数（例えば、５００球）となったか否かまたは所定数を超えたか否かを判定し、該所定数（例えば、５００球）となったまたは所定数を超えたことに基づいてアウトタンクを振動させるようにしてもよく、このようにすることで、アウトタンク８を適宜に振動させることができる。尚、この場合、賞球数及びアウト球数のうちいずれか一方が所定数に達したことに基づいてアウトタンクを振動させるようにしてもよい。
【０２５２】
また、前記実施例では、アウト球数や賞球数は台端末２０５の制御マイコン（ＭＰＵ）にて計数されて差球数等を算出するようになっていたが、本発明はこれに限定されるものではなく、上記のように差球数等を算出可能な制御部が搭載されたアウトタンク制御基板等をアウトタンク８に設け、該アウトタンク制御基板の制御部により差球数を算出したり、差球数が所定数となったまたは所定数を超えたか否かや、閾値以上変化したか否か等を判定するようにしてもよい。
【０２５３】
また、台端末２０５の制御マイコン（ＭＰＵ）は、所定期間（例えば、１０分間など）が経過するまでに所定数（例えば、５００球）のアウト球を計数したことに基づいて振動発生器４１０にてアウトタンク８を振動させるようにしてもよく、このようにすることで、アウトタンク８にて実際に所定数の遊技球を受け入れて排出したことに基づいてアウトタンク８を適宜に振動させることができるため、遊技者により対応するパチンコ遊技機２において遊技が行われていないときに無駄に振動を発生させることを回避できる。尚、所定期間や所定数は種々に変更可能である。
【０２５４】
また、台端末２０５の制御マイコン（ＭＰＵ）は、所定期間が経過するか否かに関わらず、所定数（例えば、５００球）のアウト球数を計数したことに基づいて振動発生器４１０にてアウトタンク８を振動させるようにしてもよく、このようにすることで、アウトタンク８にて実際に所定数の遊技球を受け入れて排出したことに基づいてアウトタンク８を適宜に振動させることができる。
【０２５５】
また、上記各変形例等において、台端末２０５の制御マイコン（ＭＰＵ）が、差球数やアウト球数等に基づいてアウトタンク８を振動させるか否かを判定していたが、本発明はこれに限定されるものではなく、ホールコンピュータ２４０、島端末２０６やカードユニット２０３等の他の遊技用装置にて判定するようにしてもよい。
【０２５６】
また、上記各変形例等において、台端末２０５の制御マイコン（ＭＰＵ）が、差球数やアウト球数等に基づいてアウトタンク８を振動させるか否かを判定し、該判定結果に基づいてアウトタンク８を振動させるようになっていたが、本発明はこれに限定されるものではなく、例えば、振動発生器を機械的構造物にて構成し、球計数器８２６により所定数（例えば、１００球）のアウト球を計数する毎に振動部材が作動してアウトタンク８を振動させるようにしてもよい。
【０２５７】
以上、本発明の実施例を図面により説明してきたが、具体的な構成はこれら実施例に限られるものではなく、本発明の要旨を逸脱しない範囲における変更や追加があっても本発明に含まれる。
【０２５８】
例えば、前記実施例では、支持部８０２が上下方向に伸縮可能に形成されていたが、伸縮不能であってもよい。また、取付ベース８３０に対して支持部８０２が左右方向に移動可能に形成されていたが、移動不能であってもよい。また、支持部８０２に対して受入部８０１が前後に移動可能に形成されていたが、移動不能であってもよい。また、受入部８０１が球受面積を前方に拡大可能に形成されていたが、拡大不能であってもよい。
【符号の説明】
【０２５９】
１        遊技島
２        パチンコ遊技機
８        アウトタンク
４００    振動発生装置
４１０    振動発生器
４１３    プランジャ
８００    タンク本体
８０１    受入部
８０２    支持部
８０３    排出口
８２６    球計数器
８３０    取付ベース
８６１    ベースタンク
８６２    移動タンク
【図１】
2015097602.tif 000003
【図２】
2015097602.tif 000004
【図３】
2015097602.tif 000005
【図４】
2015097602.tif 000006
【図５】
2015097602.tif 000007
【図６】
2015097602.tif 000008
【図７】
2015097602.tif 000009
【図８】
2015097602.tif 000010
【図９】
2015097602.tif 000011
【図１０】
2015097602.tif 000012
【図１１】
2015097602.tif 000013
【図１２】
2015097602.tif 000014
【図１３】
2015097602.tif 000015
【図１４】
2015097602.tif 000016
【図１５】
2015097602.tif 000017
【図１６】
2015097602.tif 000018
【図１７】
2015097602.tif 000019
【図１８】
2015097602.tif 000020
【図１９】
2015097602.tif 000021
【図２０】
2015097602.tif 000022
【図２１】
2015097602.tif 000023
【図２２】
2015097602.tif 000024
【図２３】
2015097602.tif 000025
【図２４】
2015097602.tif 000026
【図２５】
2015097602.tif 000027
【図２６】
2015097602.tif 000028
【図２７】
2015097602.tif 000029
【図２８】
2015097602.tif 000030
【図２９】
2015097602.tif 000031
【図３０】
2015097602.tif 000032
【図３１】
2015097602.tif 000033